(57)【要約】【課題】有価媒体を有価媒体投入装置から効率よく回収し安全に保管するための、遊技場における有価媒体搬送装置を提供する。【解決手段】紙幣の搬送制御を停止し若しくは搬送制御が停止される場合に、遊技場島２における有価媒体投入装置２２に投入された後、紙幣保留ユニット１２を介して紙幣搬送ユニット１６によって、金庫部９０に向かって移動する紙幣がその金庫部９０に格納され、若しくは紙幣搬送経路１８上に残留する紙幣が無くなるまで、紙幣搬送経路１８上の紙幣に対する搬送制御を島管理装置制御部８０のセンサから取得し、保留中継ユニット１４を介して得られるデータに基づいて継続した後に停止させる。すると、有価媒体の搬送制御が停止されたときに紙幣が紙幣搬送経路１８上に在留することが無いので、遊技場島２における有価媒体を確実に保全することができる。【選択図】図１
2007140772.tif 000002
【特許請求の範囲】
【請求項１】
有価媒体の搬送制御を停止し若しくは搬送制御が停止される場合に、有価媒体の搬送状況に関する有価媒体搬送制御データを取得するための搬送制御データ取得手段を介して取得した有価媒体搬送制御データに基づいて、遊技場島における有価媒体投入装置に投入された後に有価媒体格納庫へ向かって移動する有価媒体が該有価媒体格納庫に格納され、若しくは有価媒体搬送経路上で残留する有価媒体が無くなるまで、有価媒体搬送経路上の有価媒体に対する搬送制御を継続した後に停止する有価媒体搬送制御維持手段を有することを特徴とする遊技場における有価媒体搬送装置。
【請求項２】
請求項１に記載の遊技場における有価媒体搬送装置において、
前記搬送制御が正常終了される場合には、
前記有価媒投入投装置に投入された後前記有価媒体格納庫に向かって移動する有価媒体及び前記有価媒体搬送経路上で残留する有価媒体をすべて前記有価媒体格納庫に搬送した後に停止することを特徴とする遊技場における有価媒体搬送装置。
【請求項３】
請求項１又は請求項２に記載の遊技場における有価媒体搬送装置において、
前記有価媒体搬送経路上に有価媒体を一時的に格納する副有価媒体格納庫を備え、
前記搬送制御が異常終了される場合には、
前記有価媒体搬送経路上で残留する有価媒体を前記副有価媒体格納庫に搬送した後に停止することを特徴とする遊技場における有価媒体搬送装置。
【請求項４】
異常が検知された場合若しくは遊技場の閉店時などにおける操作に応じて有価媒体の搬送制御を停止し若しくは搬送制御が停止される場合には、有価媒体の搬送状況に関する有価媒体搬送制御データを取得するための搬送制御データ取得手段から取得した有価媒体搬送制御データを有価媒体搬送バックアップデータとして有価媒体搬送バックアップデータ保持手段に格納する一方、有価媒体の搬送制御再開時において、前記搬送制御データ取得手段が有価媒体搬送制御データのバックアップ時における有価媒体搬送バックアップデータと異なる有価媒体搬送制御データを形成していることを条件として、有価媒体搬送バックアップデータを更新した後、該更新した有価媒体搬送バックアップデータに基づき有価媒体の搬送制御を復旧する有価媒体搬送バックアップデータ更新手段を有することを特徴とする遊技場における有価媒体搬送装置。
【発明の詳細な説明】
【技術分野】
【０００１】
本発明は、遊技場において有価媒体を搬送するための有価媒体搬送装置に関する。
【背景技術】
【０００２】
従来、遊技場における遊技機には、遊技媒体であるメダルやパチンコ球を遊技客に貸し出すための遊技媒体貸出装置と、遊技媒体貸出装置から遊技媒体を借り出すために遊技客が支払う有価媒体である紙幣等を投入するための有価媒体投入装置が付設されている。
【０００３】
一般に、遊技場においては複数の遊技機が列設されて、所謂、遊技場島が形成されており、遊技場島毎に、各遊技機に付設されている有価媒体投入装置から紙幣が回収されるようになっている。
【０００４】
そして、各遊技機における遊技客の遊技を妨げることなく有価媒体投入装置に投入された紙幣を円滑に回収するために、各有価媒体投入装置に投入された紙幣を一時保留する一時保留部と、そこに一時保留された紙幣を回収して一箇所に保管する手段と、を備えた紙幣回収手段が提案されている（例えば、特許文献１参照。）。
【０００５】
特許文献１に記載された紙幣回収手段は、複数枚の紙幣を各有価媒体投入装置に付設された一時保留部に保留しておき、紙幣を回収する回収ユニットがベルトコンベア上を移動して順次一時保留部から紙幣を回収し、遊技場島の端部に設けられた金庫に保管するようになっている。
【特許文献１】特開２００２−２０３２６６号  公報
【発明の開示】
【発明が解決しようとする課題】
【０００６】
上記紙幣回収手段では、有価媒体投入装置に投入された紙幣を、回収ユニットで遊技島端に設けられた金庫に保管するため、従業員が各遊技機に付設された各有価媒体投入装置から紙幣を回収する必要がなくなり、保安上の問題（紙幣をできるだけ従業員や遊技者の目に触れさせない）を防止したり、サービス上の問題（遊技中に遊技を中断して紙幣を回収する）をなくすことができるようになっている。
【０００７】
しかし、上記機能に加え、遊技場島毎に各有価媒体投入装置の状態（紙幣満状態や紙詰り等の不具合発生等）が把握できるようになっていると、その有価媒体投入装置の状態に合わせて効率的に紙幣の回収ができる。例えば、紙幣満状態になっている有価媒体投入装置から紙幣を回収したり、不具合が発生している有価媒体投入装置からは紙幣を回収しない等の効率的な紙幣の回収ができる。
【０００８】
また、各有価媒体投入装置の状態として投入紙幣枚数を把握すれば、遊技場の管理（特に売上げ管理）を迅速に行うことができるようになる。
ところが、上記紙幣回収手段では、単に有価媒体を機械的に一時保留部から順次回収し、金庫に保管するだけであるため、有価媒体投入装置からの情報（紙幣投入枚数や紙幣詰り情報等）に基づいて紙幣回収を効率的に行うことができなかった。また、有価媒体各有価媒体投入装置での紙幣投入枚数を把握し、売上げ管理を行うこともできなかった。
【０００９】
本発明は、かかる事情に鑑みなされたものであり、有価媒体を有価媒体投入装置から効率よく回収し安全に保管するための、遊技場における有価媒体搬送装置を提供することを目的とする。
【課題を解決するための手段】
【００１０】
かかる目的を達成するためになされた請求項１に記載の遊技場における有価媒体搬送装置は、有価媒体の搬送制御を停止し若しくは搬送制御が停止される場合に、有価媒体の搬送状況に関する有価媒体搬送制御データを取得するための搬送制御データ取得手段（３１，３９，６２：この欄においては、発明に対する理解を容易にするため、必要に応じて「発明を実施するための最良の形態」欄において用いた符号を付すが、この符号によって請求の範囲を限定することを意味するものではない。）を介して取得した有価媒体搬送制御データに基づいて、遊技場島（２）における有価媒体投入装置（２２）に投入された後に有価媒体格納庫（９０）へ向かって移動する有価媒体が該有価媒体格納庫（９０）に格納され、若しくは有価媒体搬送経路（１８）上で残留する有価媒体が無くなるまで、有価媒体搬送経路（１８）上の有価媒体に対する搬送制御を継続した後に停止する有価媒体搬送制御維持手段（８０）を有することを特徴とする。
【００１１】
このような構成の遊技場における有価媒体搬送装置によると、有価媒体投入装置（２２）に投入された有価媒体の搬送制御が停止される場合に、有価媒体が有価媒体格納庫（９０）に格納されるか、若しくは、有価媒体搬送経路（１８）上に残留している有価媒体が無くなるまで有価媒体の搬送制御が継続された後に搬送制御が停止される。
【００１２】
従って、有価媒体の搬送制御が停止されたときに有価媒体が有価媒体搬送経路（１８）上に在留することが無いので、遊技場島（２）における有価媒体を確実に保全することができる。
【００１３】
ここで、「有価媒体搬送経路」とは、有価媒体が投入されてから有価媒体格納庫に格納されるまでに有価媒体が搬送される経路を意味している。
上記遊技場における有価媒体搬送装置はまた下記のような特徴を有するものである。即ち、
遊技場における有価媒体搬送装置であって、
遊技機（８）が列設された遊技場島（２）の少なくとも１つの遊技機（８）に付設された有価媒体投入装置（２２）と該有価媒体投入装置（２２）に投入された有価媒体を一時的に保留しておく有価媒体保留手段（１２）とから成る島端末（５）と、
前記遊技場島（２）の一端側に有価媒体を保管するために設けられた有価媒体格納庫（９０）と、
前記有価媒体投入装置（２２）に投入された有価媒体若しくは前記有価媒体投入装置（２２）から前記有価媒体格納庫（９０）に至る有価媒体搬送経路（１８）上に残留する有価媒体を回収し、前記有価媒体格納庫（９０）へ搬送する有価媒体搬送手段（１６）と、
有価媒体の搬送状況に関する有価媒体搬送制御データを取得するための搬送制御データ取得手段（３１，３９，６２）と、
前記有価媒体搬送手段（１６）を介して前記有価媒体を回収し搬送するために必要な有価媒体搬送制御データを前記搬送制御データ取得手段（３１，３９，６２）から取得し、その取得した有価媒体搬送制御データに基づいて、前記有価媒体搬送手段（１６）を制御する有価媒体搬送制御手段（８０）と、
を備え、
前記有価媒体搬送制御手段（８０）は、
前記有価媒体搬送手段（１６）の制御が停止される場合に、前記搬送制御データ取得手段（３１，３９，６２）から取得した前記有価媒体搬送制御データに基づいて、前記有価媒体搬送手段（１６）を介して前記有価媒体格納庫（９０）に向かって搬送される有価媒体が前記有価媒体格納庫（９０）に格納され、若しくは前記有価媒体搬送経路（１８）上に残留する有価媒体が無くなるまで前記有価媒体搬送経路（１８）上の有価媒体に対する前記有価媒体搬送手段（１６）の制御を継続した後に停止させる有価媒体搬送制御維持手段（８０）を有することを特徴とする。
【００１４】
さらに、以上の特徴を有する、遊技場における有価媒体搬送装置に、さらに、島端末（５）を特定するためにその島端末（５）毎に識別データを設定するための識別データ設定手段と、識別データで特定された島端末（５）から有価媒体を管理するために必要な有価媒体管理データを取得し、その取得した有価媒体管理データを表示手段に視認可能に表示させる表示制御を実行する有価媒体管理制御手段と、を設けるようにする。
【００１５】
このようにすると、例えば、有価媒体投入装置（２２）を島端末（５）ごとに設けた場合には、管理者は識別データ設定手段を介して各島端末（５）を識別するための設定を容易に行うことができる。
【００１６】
さらに、設定された識別データに基づいて各島端末（５）から有価媒体監理データを取得できる。更に取得された有価媒体監理データが表示手段に視認可能に表示されるので、管理者は有価媒体の管理を容易にかつ効率よく行うことができる。
【００１７】
例えば、島端末（５）から有価媒体投入装置（２２）の不具合発生状況（例えば、詰りや、偽有価媒体）や有価媒体の投入状況（満状態）、あるいは、有価媒体搬送手段（１６）の搬送状況（有価媒体投入装置（２２）との相対位置情報等）を搬送情報として出力するようにしておく。そして、有価媒体搬送制御手段（８０）は、それらの搬送情報に基づいて、不具合のある有価媒体投入装置（２２）からの有価媒体の回収を止めたり、満状態の有価媒体投入装置（２２）の有価媒体を回収するというようにして有価媒体搬送手段（１６）を制御する。そのような制御を行うことにより、回収すべき有価媒体投入装置（２２）から効率よく有価媒体を回収することができるのである。
【００１８】
また、有価媒体管理制御手段（８０）は、有価媒体の管理に必要となる管理データ（例えば、有価媒体の枚数等）を、各島端末（５）から取得し、その取得した管理データを表示手段（８２）に視認可能に表示させる表示制御を実行する。従って、遊技場側は、各遊技場島（２）毎に表示に基づいて売上げ管理をすることが可能になる。
【００１９】
なお、「有価媒体投入装置（２２）」とは、遊技媒体を借り出すために遊技客が支払う有価媒体である紙幣等を投入するために装置であり、「遊技媒体」には、メダルやパチンコ球が含まれる。また、「遊技機」には、スロットマシンやパチンコ遊技機が含まれる。
【００２０】
ところで、搬送制御が終了される場合には、例えば遊技場の閉店時のように有価媒体の搬送には特に異常が無い状態で終了される正常終了の場合と、有価媒体搬送経路（１８）上で有価媒体が詰まるなどの異常が発生してその異常のために終了する異常終了の場合とがある。
【００２１】
搬送制御が正常終了される場合には、搬送制御の終了時の処理を緊急で行う必要がないので、請求項２に記載のように、有価媒体投入装置（２２）に投入された後、有価媒体格納庫（９０）に向かって移動する有価媒体及び有価媒体搬送経路（１８）上で残留する有価媒体をすべて有価媒体格納庫（９０）に搬送した後に停止するようにするとよい。
【００２２】
このようにすると、搬送制御が正常終了される場合には、有価媒体格納庫（９０）に向かって移動する有価媒体及び有価媒体搬送経路（１８）上に残留する有価媒体がすべて有価媒体格納庫（９０）に搬送された後に搬送制御が停止される。したがって、搬送制御が終了されたときには、有価媒体はすべて有価媒体格納庫（９０）に搬送された状態となっているので、搬送制御終了時に有価媒体は確実に保全される。
【００２３】
なお、上記の遊技場における有価媒体搬送装置は、また、以下のような特徴を有するものである。即ち、有価媒体搬送制御維持手段（８０）は、有価媒体搬送手段（１６）の制御が正常に終了される場合には、有価媒体投入装置（２２）に投入された後有価媒体搬送手段（１６）を介して有価媒体格納庫（９０）に向かって搬送される有価媒体が有価媒体格納庫（９０）に格納され、若しくは有価媒体搬送経路（１８）上に残留する有価媒体がなくなるまで有価媒体搬送経路（１８）上に残留する有価媒体をすべて有価媒体格納庫（９０）に搬送した後に有価媒体搬送手段（１６）の制御を停止することを特徴とする。
【００２４】
一方、搬送制御が異常終了される場合には、搬送制御の終了時の処理を緊急に行う必要があるので、請求項３に記載のように、有価媒体搬送経路（１８）上に有価媒体を一時的に格納する副有価媒体格納庫（１２）を設け、有価媒体搬送経路（１８）上で残留する有価媒体を前記副有価媒体格納手段に搬送した後に停止するようにするとよい。
【００２５】
このようにすると、搬送制御が異常終了される場合には、有価媒体搬送経路（１８）上に残留している有価媒体が有価媒体格納庫（９０）又は副有価媒体格納庫（１２）の何れかに搬入された後に搬送制御が停止される。したがって、搬送制御が終了されたときには、有価媒体はすべて有価媒体格納庫（９０）か副有価媒体格納庫（１２）の何れかに搬送された状態となっているので、搬送制御終了時には有価媒体は確実に保護される。
【００２６】
なお、上記の遊技場における有価媒体搬送装置は、また、以下のような特徴を有するものである。即ち、有価媒体搬送経路（１８）上に有価媒体を一時的に格納する副有価媒体格納庫（１２）を備え、有価媒体搬送制御維持手段（８０）は、有価媒体搬送手段（１６）の制御が異常終了される場合には、有価媒体搬送経路（１８）上に残留する有価媒体を副有価媒体格納庫（１２）に搬送した後に有価媒体搬送手段（１６）の制御を停止することを特徴とする。
【００２７】
ところで、遊技場における有価媒体搬送装置において、有価媒体搬送制御を終了し、その後有価媒体搬送制御を再開する場合、有価媒体搬送制御を終了してから再開するまでの間に、有価媒体搬送経路（１８）の状態が変化する場合がある。
【００２８】
つまり、有価媒体搬送制御を終了した後、管理者等が、有価媒体格納庫（９０）や搬送経路上に残った有価媒体を回収し、有価媒体搬送制御終了時と有価媒体搬送制御の再開時における有価媒体搬送経路（１８）の状態が異なる場合がある。
【００２９】
そのような場合、有価媒体搬送制御終了時の有価媒体搬送制御データと有価媒体搬送制御再開時の有価媒体搬送制御データとが一致しないので、再開時の有価媒体搬送制御が正常に行われないおそれがある。
【００３０】
そこで、有価媒体搬送制御の再開時の制御を正常に行うために請求項４に記載の特徴を有する遊技場における有価媒体搬送装置とする。即ち、請求項４に記載の遊技場における有価媒体搬送装置は、異常が検知された場合若しくは遊技場の閉店時などにおける操作に応じて有価媒体の搬送制御を停止し若しくは搬送制御が停止される場合には、有価媒体の搬送状況に関する有価媒体搬送制御データを取得するための搬送制御データ取得手段（３１，３９，６２）から取得した有価媒体搬送制御データを有価媒体搬送バックアップデータとして有価媒体搬送バックアップデータ保持手段（８０）に格納する一方、有価媒体の搬送制御再開時において、搬送制御データ取得手段（３１，３９，６２）が有価媒体搬送制御データのバックアップ時における有価媒体搬送バックアップデータと異なる有価媒体搬送制御データを形成していることを条件として、有価媒体搬送バックアップデータを更新した後、該更新した有価媒体搬送バックアップデータに基づき有価媒体の搬送制御を復旧する有価媒体搬送バックアップデータ更新手段（８０）を有することを特徴とする。
【００３１】
このようにすると、有価媒体搬送制御終了時に有価媒体搬送バックアップデータ保持手段（８０）に保持された有価媒体搬送制御データと有価媒体搬送制御再開時の有価媒体搬送制御データとが異なっている場合には、有価媒体搬送バックアップデータ保持手段（８０）に保持されている有価媒体搬送制御データが有価媒体搬送制御再開時に更新されて、有価媒体搬送制御が再開される。
【００３２】
従って、有価媒体搬送制御終了時の有価媒体搬送制御データと有価媒体搬送制御再開時の有価媒体搬送制御データとが常に一致するので、再開時の有価媒体搬送制御が正常に行われる。
【００３３】
上記遊技場における有価媒体搬送装置はまた下記のような特徴を有するものである。即ち、
遊技場における有価媒体搬送装置であって、
遊技機（８）が列設された遊技場島（２）の少なくとも１つの遊技機（８）に付設された有価媒体投入装置（２２）と該有価媒体投入装置（２２）に投入された有価媒体を一時的に保留しておく有価媒体保留手段（１２）とから成る島端末（５）と、
前記遊技場島（２）の一端側に有価媒体を保管するために設けられた有価媒体格納庫（９０）と、
前記有価媒体投入装置（２２）に投入された有価媒体若しくは前記有価媒体投入装置（２２）から前記有価媒体格納庫（９０）に至る有価媒体搬送経路（１８）上に残留する有価媒体を回収し、前記有価媒体格納庫（９０）へ搬送する有価媒体搬送手段（１６）と、
有価媒体の搬送状況に関する有価媒体搬送制御データを取得するための搬送制御データ取得手段（３１，３９，６２）と、
前記有価媒体搬送手段（１６）を介して前記有価媒体を回収し搬送するために必要な有価媒体搬送制御データを前記搬送制御データ取得手段（３１，３９，６２）から取得し、その取得した有価媒体搬送制御データに基づいて、前記有価媒体搬送手段（１６）を制御する有価媒体搬送制御手段（８０）と、
前記有価媒体搬送手段（１６）の制御が正常に終了される際又は前記有価媒体搬送手段（１６）の制御が異常終了される際の前記有価媒体搬送制御データを有価媒体搬送バックアップデータとして格納する有価媒体搬送バックアップデータ格納手段（８０）と、
を備え、
前記有価媒体搬送制御維持手段（８０）は、前記有価媒体搬送手段（１６）の制御を終了するときに、前記有価媒体搬送制御データを有価媒体搬送バックアップデータとして前記有価媒体搬送バックアップデータ格納手段（８０）に格納し、
前記有価媒体搬送制御手段（８０）は、
前記有価媒体搬送手段（１６）の制御再開時に、前記搬送制御データ取得手段（３１，３９，６１）から取得した有価媒体搬送制御データが前記有価媒体搬送バックアップデータ格納手段（８０）に格納された有価媒体搬送バックアップデータと異なる場合には、前記有価媒体搬送バックアップデータ格納手段（８０）に格納された有価媒体搬送バックアップデータを前記有価媒体搬送制御手段（８０）の制御再開時に取得した有価媒体搬送制御データに更新した後、有価媒体搬送手段（１６）の制御を再開することを特徴とする遊技場における有価媒体搬送装置。
【００３４】
さらに、有価媒体搬送制御データをディジタルデータとし、そのデータのビット情報により有価媒体搬送制御を行うと有価媒体搬送制御をよりきめ細かく行うことができる。そのためには、例えば、搬送制御取得手段（３１、３９，６２）を有価媒体の有無を検出するための有価媒体有無検出センサ（３１，３９，６２）とし、有価媒体搬送バックアップデータを含む有価媒体搬送制御データを、有価媒体有無検出センサ（３１，３９，６２）と、有価媒体搬送位置検出センサ（６１）により検出した信号をビットデータに変換した後、中継回路（１４）で格納するとともに、遊技場島（２）における有価媒体の搬送制御を統括する島管理装置（４）に送信した後、島管理装置（４）の記憶部に格納する有価媒体搬送通信制御手段（８０，１４）を有する遊技場における有価媒体搬送装置とするとよい。
【００３５】
このようにすると、有価媒体有無検出センサ（３１，３９，６２）と有価媒体搬送位置検出センサ（６１）により検出した信号がビットデータに変換された後、中継回路や島管理装置（４）の記憶部に格納される。即ち、有価媒体搬送制御データをディジタルデータとして格納され、そのデータのビット情報により有価媒体搬送制御が行われるので、有価媒体搬送制御をよりきめ細かく行うことができる。
【発明を実施するための最良の形態】
【００３６】
（第１実施形態）
<有価媒体搬送装置の全体構成>
以下に本発明の実施形態を図面とともに説明する。
【００３７】
図１は、本実施形態の有価媒体管理設備が適用された遊技場島２の平面図である。尚遊技場には複数の遊技場島２が設置されているが、図１ではそのうちの１つの遊技場島２の平面図を示している。
【００３８】
遊技場における遊技場島２は、列設された複数の島端末５と、島端末５の一端側に設けられた島管理装置４と、各島端末５の列間に設置された紙幣搬送ユニット１６とを備える。
【００３９】
図１に示すように、遊技場島２には複数の島端末５が前面側（例えば、図１の紙面下方向）と背面側（例えば、図１の紙面上方向）の２列に亘って島管理装置４から延出している。前面側の島端末５と後面側の島端末５との間には、列設されている島端末５に沿って紙幣搬送経路１８が設けられている。そして、紙幣搬送ユニット１６がその紙幣搬送経路１８上を図１中左右方向に、換言すれば島管理装置４とその反対側の端部との方向に移動する。
【００４０】
島端末５は、各島端末５毎に遊技機８、遊技媒体貸出装置１０、紙幣保留ユニット１２、保留中継基板１４を各１台ずつ備える。なお、本実施形態における遊技機８は、所謂パチンコ台、スロットであり、遊技媒体貸出装置１０としてはパチンコ球貸し機、メダル貸し機である。また、遊技媒体貸出装置１０の一部には、紙幣投入装置２２が設けられている。
【００４１】
なお、紙幣投入装置２２は、遊技機８に設けられるものとしてもよく、紙幣投入装置２２若しくは遊技媒体貸出装置１０とは独立して設ける構成であってもよい。
また、遊技機８にはスロットマシンやパチンコ遊技機が含まれ、遊技媒体にはメダル若しくはパチンコ球が含まれる。
【００４２】
これらのパチンコ球貸し機、メダル貸し機に使われる有価媒体としては、紙幣、硬貨、ＩＣタグ及び各種カードなどが一般的であり、有価媒体投入装置としては紙幣投入装置、硬貨投入装置、ＩＣタグ投入装置などがあるが、本実施形態では紙幣を有価媒体として以下の説明を進める。従って、以下の説明における有価媒体投入装置としては、特に断らない限り紙幣投入装置２２を意味する。
【００４３】
なお、図１に示す遊技場管理装置６は、遊技場内の複数の遊技場島２を一括して管理する遊技場全体の管理装置であり、ホールコンピュータとも称される。
以下、有価媒体搬送装置の主要構成要素である紙幣投入装置２２、保留中継基板１４、紙幣保留ユニット１２、紙幣搬送ユニット１６及び島管理装置４について説明する。
<紙幣投入装置>
図２は、紙幣投入装置２２、紙幣保留ユニット１２、紙幣搬送ユニット１６の側面図である。
【００４４】
紙幣投入装置２２は、遊技客が遊技媒体貸出装置１０から遊技媒体を借り出すために紙幣を投入する装置であり、遊技場島２の前面と背面の両面に設置された各島端末５に設けられている。なお、遊技媒体貸出装置１０は遊技機８一体として設けられる場合もある。
【００４５】
紙幣投入装置２２は、図２に示すように、紙幣を投入する紙幣投入ユニット２４、紙幣投入ユニット２４に投入された紙幣を紙幣保留ユニット１２に導くための紙幣投入ノズル２６及び紙幣投入ユニット２４を遊技場島２に結合させるための紙幣投入ユニットガイド部２８から構成されている。
【００４６】
紙幣投入ユニット２４は、紙幣を受け入れる受入口であり、本実施形態の場合、長方形の紙幣は縦にされた状態でその短辺が紙幣投入ユニット２４の一端（図２の右側端部）から紙幣投入ノズル２６に向けて図２の左側方向へ挿入される。
【００４７】
紙幣投入ノズル２６は、紙幣を紙幣投入ユニット２４から紙幣保留ユニット１２へ中継する筒状のガイドであり、遊技場島２における紙幣投入装置２２と紙幣保留ユニット１２との接合箇所における紙幣の通過を円滑なものとする。紙幣投入ノズル２６は、紙幣投入装置２２と紙幣保留ユニット１２とに対して係脱可能に形成され、遊技媒体貸出装置１０などが設置される遊技場島２に対して脱着可能に装着される。
【００４８】
紙幣は、上記のように、図２に示す紙幣投入ユニット２４の端部（図２の右側方向）から上下方向に立てられた状態で投入される。投入された紙幣は、図示しない紙幣識別装置（ビルバリ）によって異常紙幣であるか否かが識別される。
【００４９】
そして、異常でないと判別された紙幣は、紙幣投入装置２２に設けられた正逆回転する駆動モータの駆動力を介して紙幣を押圧して係動作用する回転ローラより紙幣保留ユニット１２方向側へ移送され、異常であると判別された紙幣などは、紙幣保留ユニット１２が設けられた方向とは異なる逆の紙幣投入口方向側に返送される。
【００５０】
紙幣保留ユニット１２方向側へ移送された紙幣は、まず、紙幣投入ノズル２６に移送される。紙幣投入ノズル２６に移送された紙幣は、紙幣投入ノズル２６と紙幣保留ユニット１２との間に設けられ、紙幣の誘導路と紙幣を回転させて紙幣保留ユニット１２に押圧する搬送押圧回転体３０によって９０度向きが変えられて紙幣保留ユニット１２の紙幣格納領域３４に押圧され収納される。
【００５１】
また、紙幣投入装置２２は、ＣＰＵやメモリを備えた制御部を内蔵（図示せず）しており、保留中継基板１４から投入禁止データを受信した場合には、紙幣投入装置２２への紙幣取込みを禁止する機能を有している。また、遊技媒体貸出装置１０に設けられる場合もある当該紙幣投入装置２２の内部には紙幣の有無を確認する紙幣確認センサが設けられている。
【００５２】
ここで、投入禁止データとしては、以下の６つがある。
（１）紙幣搬送ユニット１６が接近し、紙幣の回収を行う必要があるために紙幣投入を禁止するためのデータ。
【００５３】
（２）紙幣保留ユニット１２が満杯で、それ以上紙幣を投入できない場合に紙幣投入を禁止するためのデータ。
（３）紙幣保留ユニット１２や紙幣搬送ユニット１６に紙幣詰り等の異常が発生しているため紙幣の投入を禁止するためのデータ。
【００５４】
（４）紙幣搬送ユニット１６が遊技場島２より取外され、紙幣保留ユニットカバー４３が開放された場合に紙幣投入を禁止するためのデータ。
（５）紙幣搬送経路１８の紙幣搬送経路側カバー摺動体４８が水平方向にスライドして紙幣搬送経路１８が開放された場合に紙幣投入を禁止するためのデータ。
【００５５】
（６）島管理装置４の金庫部９０において紙幣格納処理の障害が検知手段を介して判定された場合に紙幣投入を禁止するためのデータ。
なお、紙幣の投入禁止は、紙幣投入装置２２への紙幣の取込手段を構成する紙幣取込用駆動モータの回転動作が停止され、あるいは、紙幣取込用駆動モータが逆回転して投入された紙幣を返却することにより行われる。
【００５６】
このほか、紙幣投入装置２２は、遊技媒体貸出装置１０にエラーがあった場合に紙幣保留ユニット１２及び紙幣搬送ユニット１６に表示と待機とを実行させるためのエラー信号を保留中継基板１４に送信するエラー信号伝送機能を有する。
【００５７】
また、紙幣投入装置２２を含む場合のある遊技媒体貸出装置１０は、当該紙幣投入装置２２において異常が検出された場合には、紙幣保留ユニット１２と紙幣搬送ユニット１６の紙幣保留動作と紙幣搬送動作とを待機させるとともに、島管理装置４の島管理装置表示操作パネル８１と保留中継基板１４とに設けられた表示手段によりエラー表示などの異常時における制御を、島管理装置４に設けられた島管理装置制御部８０から指令して各部に実行させるエラー信号を、保留中継基板１４を介して島管理装置４に送信する。
【００５８】
次に、紙幣投入装置２２の制御部で実行される紙幣投入処理について、図３のフローチャートに従って説明する。
紙幣投入処理は、制御部の電源投入と同時に実行が開始され、図３に示すように、先ずＳ１００にて、投入禁止データを取得する。これは、前述したように、保留中継基板１４から入力され、紙幣搬送ユニット１６の位置や紙幣保留ユニット１２の異常が発生しているか否かのデータである。投入禁止データを取得したらＳ１０５へ移行する。
【００５９】
Ｓ１０５では、紙幣投入情報を取得する。ここでは、紙幣投入ユニット２４の端部（図２の右側方向）に設けられた、図示しない光センサからの信号（紙幣が入力されていればこのセンサから信号が出力される）情報を取得する。そして、取得後、Ｓ１１０へ移行して、紙幣が投入されているか否かを判定する。紙幣が投入されていなければ（Ｓ１１０でＮｏの場合）、Ｓ１００に戻って最初から紙幣投入処理を繰り返す。一方、紙幣が投入されていれば（Ｓ１１０でＹｅｓの場合）、Ｓ１１５へ移行する。
【００６０】
Ｓ１１５では、Ｓ１００にて取得した投入禁止データが投入禁止を示しているか否かを判定する。そして、投入禁止を示していれば（Ｓ１１５でＹｅｓの場合）、Ｓ１００に戻って、投入禁止データの取得を繰り返す。逆に、投入禁止を示していなければ（Ｓ１１５でＮｏの場合）、Ｓ１２０へ移行する。
【００６１】
Ｓ１２０では、投入された紙幣を紙幣投入ユニット２４内に取込み、Ｓ１２５へ移行する。
Ｓ１２５では、紙幣が真性紙幣であるか否かが紙幣識別装置（ビルバリ）によって判定された結果が入力される。そして、真性紙幣でなければ（Ｓ１２５でＮｏの場合）、Ｓ１３０へ移行して紙幣を返却し、Ｓ１００に戻り、最初から紙幣投入処理を繰り返す。逆に、真性紙幣（Ｓ１２５でＹｅｓの場合）、Ｓ１３５へ移行して、投入紙幣枚数をカウントし、続くＳ１４０で遊技媒体貸出装置１０に遊技媒体支払指令を出力する。そして、Ｓ１４５へ移行して、紙幣を紙幣保留ユニット１２に搬出する。
【００６２】
Ｓ１４５にて、紙幣を紙幣保留ユニット１２に搬出した後、Ｓ１００に戻り最初から紙幣投入処理を繰り返す。
尚、本紙幣投入処理は、制御部の電源が遮断されると停止される。
【００６３】
以上の、構成、機能を有する紙幣投入装置２２によれば、保留中継基板１４から、投入禁止を禁止する旨の投入禁止データを受け取ると、紙幣投入を行わないため、紙幣投入装置２２における紙幣詰りの発生、紙幣の搬送障害等のユニット故障を防止することができる。
<保留中継基板>
図４は、保留中継基板１４の外観図である。
【００６４】
保留中継基板１４は、紙幣投入装置２２内に脱着可能に格納されている平板状の板部材であり、基板の四隅に設けられたビス孔７６によって中継基板収納ボックス７５に取り付けられている。保留中継基板１４の基板本体７１には、ＬＥＤ７２、ロータリースイッチ７３及びディップスイッチ７４が備えられている。
【００６５】
当該保留中継基板１４が稼動状態にあるかを識別させるＬＥＤ７２は、発光色の異なる３個のＬＥＤ（ＲＧＢ）が配設され、紙幣保留ユニット１２（図１参照）の満杯状態、紙幣保留ユニット１２の取外しや紙幣保留ユニットカバー４３の開放や紙幣詰りなどの異常を表示するとともに電源インジケータを兼ねている。
【００６６】
具体的には、紙幣保留ユニット１２について、紙幣満杯、紙幣詰り、扉開放、ユニット取外しなどの異常が検出された場合、島管理装置４(図１参照）に異常信号を出力し、紙幣搬送ユニット１６（図１参照）における搬送を禁止するともに、紙幣保留ユニット１２に対応して配設された表示部（保留中継基板１４のＬＥＤ）で紙幣保留ユニット１２において発生した異常の種別を識別して表示する。
【００６７】
例えば、保留中継基板１４に配設された３色のＬＥＤの組み合わせや、点灯と点滅との組み合わせにより複数種類の異常を識別して表示することができる。例えば、黄色三点点灯で電源投入後における待機状態を、赤色三点点滅によっては紙幣詰まりを、赤色三点点灯では紙幣満杯を表示する例などが実施できる。
【００６８】
保留中継基板１４は、遊技機８若しくは遊技媒体貸出機を含む紙幣投入装置２２と島管理装置間におけるデータを授受して中継するだけでなく、遊技媒体貸出機若しくは遊技機８を中心に一組として、遊技場の島に列設される当該遊技機８と遊技媒体貸出機と紙幣投入装置２２と紙幣保留ユニット１２とにおける各センサから得られる検出信号を授受して表示などを含む駆動制御を実行可能とする制御回路を有する一方、遊技媒体貸出機若しくは遊技機８を中心として紙幣投入装置２２を含む当該装置の組に、同一のアドレス部を付与されて遊技場島２に列設される多数の他の装置の組より識別して特定することが可能な構成となっている。
【００６９】
ロータリースイッチ７３とディップスイッチ７４とは、島端末５（図１参照）の紙幣保留ユニット１２のアドレスを設定するためのアドレス設定手段である。ロータリースイッチ７３は、島端末５の紙幣保留ユニット１２が遊技場島２の前面側か背面側の何れかにあるかを設定し、ディップスイッチ７４は、島端末５の紙幣保留ユニット１２の個体のアドレスを設定するためのスイッチである。具体的には、複数のディップスイッチ７４を切換設定してデータビットを指定することにより、島端末５の紙幣保留ユニット１２のアドレスが設定される。
【００７０】
保留中継基板１４は、このアドレスにより特定される紙幣保留ユニット１２の紙幣保留動作状況を示すデータを島管理装置４に送信する。
また、紙幣保留ユニット１２には、紙幣搬送ユニット１６の接近を検出するセンサが設けられており、保留中継基板１４は、紙幣搬送ユニット１６の紙幣保留ユニット１２への接近データを島管理装置４に送信する。つまり、保留中継基板１４は、紙幣搬送ユニット１６の移動情報を島管理装置４に送信する。
【００７１】
保留中継基板１４は、このようにアドレス設定機能を有しているため、多数の紙幣保留ユニット１２と紙幣搬送ユニット１６とを中継接続によって脱着交換可能な状態で統括的に制御できる。また、紙幣保留ユニット１２を当該遊技場島２の紙幣搬送経路１８上より交換した場合においても新たな紙幣保留ユニット１２に識別番号を再設定する必要なく交換した紙幣保留ユニット１２と紙幣搬送ユニット１６とが識別できるとともに制御できる。
【００７２】
更に、保留中継基板１４は、紙幣保留ユニット１２を介して紙幣搬送ユニット１６の位置を島管理装置４に送信しているため、搬送されている紙幣が遊技場島２の紙幣搬送経路
１８上の何れの位置にあるかが島管理装置４において確認可能になる。
【００７３】
また、保留中継基板１４は、紙幣投入装置２２と紙幣保留ユニット１２及び紙幣搬送ユニット１６との間の電気接続が完了していないと遊技媒体貸し出し操作が受付けられない旨を表示する。具体的には、紙幣投入装置２２と紙幣保留ユニット１２及び紙幣搬送ユニット１６との間における断線やそれらの装置の未接続を保留中継基板１４に設けたＬＥＤ７２で次のように表示する。
【００７４】
（ア）紙幣保留ユニット１２と保留中継基板１４が接続されると３個のＬＥＤ７２のうち１個を青色点灯する。
（イ）紙幣保留ユニット１２と島管理装置４と紙幣投入装置２２とが電気的に接続されると、保留中継基板１４のＬＥＤ３個が青色点灯する。
【００７５】
（ウ）また紙幣保留ユニット１２と島管理装置４と紙幣投入装置２２を含むことのある遊技媒体貸出機若しくは遊技機８が電気的に接続された場合にも、保留中継基板１４の３個のＬＥＤが青色点灯する。
【００７６】
また更に、保留中継基板１４は、遊技媒体貸出装置１０と紙幣保留ユニット１２及び紙幣搬送ユニット１６間におけるデータ通信回路の電源系統と異なる電気系統の断線が検出された場合に遊技媒体貸出装置１０と紙幣保留ユニット１２及び紙幣搬送ユニット１６との間における紙幣搬送動作を停止する信号を発信する。
【００７７】
保留中継基板１４は、紙幣保留ユニット１２について紙幣詰り、扉開放、ユニット取外し異常が検出された場合、島管理装置制御部８０に異常信号を出力する。また、ＬＥＤ７２で当該紙幣保留ユニット１２の異常の種別を識別して表示をする紙幣保留ユニット識別機能を有している。
【００７８】
具体的には、保留中継基板１４のＬＥＤの色彩、点灯、消灯及び点滅の組み合わせにより複数種類の異常を識別して表示している。従って、異常の発生した紙幣保留ユニット１２を遊技場島２の当該紙幣保留ユニット１２に対して確認することができるので、異常発生箇所の発見に労力を費やす必要がなくなるとともに、更に継続して紙幣が搬送され続け障害が拡大することを防止できる。
【００７９】
また、保留中継基板１４は、紙幣満杯を出力するものとしてもよい。即ち、遊技場島２に多数列設される保留中継基板１４毎に、特定の保留中継基板１４が統括する紙幣投入装置２２より紙幣保留ユニット１２に至る紙幣搬送経路１８上において発生した紙幣詰りなどの異常を、他の装置の組より識別するとともに異なる事象毎にも識別して表示し、広い遊技場内に設置された対象についての迅速で的確な対応を行うことを可能としている。
【００８０】
更に、保留中継基板１４は、その保留中継基板１４が付設されている紙幣保留ユニット１２を島管理装置制御部８０で識別させる識別データを設定変更可能とする識別データ設定変更手段を有する（ロータリースイッチとディップスイッチとで遊技場島２の前面側、背面側及び特定紙幣保留ユニット１２のアドレスを設定して識別可能としている。）。
【００８１】
従って、紙幣保留ユニット１２を遊技場島２に設置する場合や紙幣搬送経路１８から交換した場合において紙幣保留ユニット１２と島管理装置４において識別表示させることができる。
【００８２】
特に保留中継基板１４においてパラメータを設定する場合においては、同一箇所に位置する保留中継基板１４のパラメータを設定変更することなく異なる新たな紙幣保留ユニット１２を差換えて紙幣搬送経路１８上に配置することが可能となる。
【００８３】
また、紙幣投入装置２２若しくは遊技機８や遊技媒体貸出機を障害や新装開店の為に個別に交換する場合にも、当該保留中継基板１４におけるアドレス設定を援用することができるものとなっている。
【００８４】
尚、保留中継基板１４に対して脱着可能にされる第二の基板をコネクタ接続して当該紙幣搬送装置における制御パターンを適宜設定可能とするパラメータ設定手段を有するようにしてもよい。
【００８５】
また、保留中継基板１４は、紙幣投入装置２２、遊技媒体貸出装置１０、島管理装置４、紙幣搬送ユニット１６の電気接続が完了していない場合に遊技媒体貸し出し操作を禁止する信号を出力する電気的接続条件判定手段を有している。即ち、それらの装置の電気的接続がなされていないか、あるいは、それらの装置間の配線に断線がある場合に、遊技媒体貸出装置１０に貸出禁止信号を出力するとともに紙幣投入装置２２に紙幣投入禁止信号を出力する。
【００８６】
従って、紙幣を遊技媒体貸出装置１０に投入したにも拘わらず紙幣投入装置２２側で紙
幣を搬送処理することができない不具合が解消されるとともに、貸出し金額等に係る遊技媒体貸出装置１０からの入金データが島管理装置制御部８０に至らず喪失してしまうことを防止できる。
【００８７】
また、保留中継基板１４は、遊技媒体貸出装置１０と紙幣保留ユニット１２間における断線を保留中継基板１４に設けたＬＥＤで表示する構成となっている。
また、保留中継基板１４は、紙幣保留ユニット１２と保留中継基板１４が接続されるとＬＥＤを点灯させ、紙幣搬送ユニット１６と島管理装置制御部８０とが電気的に接続されると保留中継基板１４に設けられたＬＥＤを点灯させる紙幣搬送回路断線表示手段を有している。従って、紙幣を遊技媒体貸出装置１０に投入したにも拘わらず紙幣投入装置側２２で紙幣を搬送処理することができない不具合の発生と、貸出し金額等に係る遊技媒体貸出装置１０からの入金データが喪失してしまう不具合の発生とを未然に防止することができる。更に、ＬＥＤの点灯状態により、未接続の紙幣保留ユニット１２が容易に確認できる。
【００８８】
また、保留中継基板１４は、遊技媒体貸出装置１０と紙幣搬送ユニット１６との間におけるデータ通信回路の断線（電源系統と異なる電気系統の断線）が検出された場合に遊技媒体貸出装置１０と紙幣搬送ユニット１６との間における紙幣搬送動作を停止する紙幣搬送停止手段を有している。従って、紙幣が物理的に搬送されているにも拘わらず、紙幣の遊技媒体貸出しに係る入金データや紙幣転送に係る制御信号が送受信されず、紙幣投入装置２２が異常処理を行うという状況が発生することを未然に防止できる。
<紙幣保留ユニット>
<構成と機能>
図５は、紙幣保留ユニット１２の構成図である。図５（ａ）は、紙幣保留ユニット１２の紙幣保留ユニット基体４２の拡大平面図であり、図５（ｂ）は、紙幣を紙幣投入装置２２側より取込んで保留するとともに紙幣搬送ユニット１６に受け渡す駆動手段となるＤＣモータ３２と、紙幣の取込み状態と移送状態と紙幣の移送経路上における待機状態とを検出する入口センサ３１と、紙幣取込センサ３９と紙幣保留センサ６２と紙幣搬送ユニット通過センサ６１とが設けられる紙幣保留ユニット１２の基体全体を表す平面図である。図５（ｃ）は、紙幣保留ユニット１２の紙幣保留ユニットカバー４３を表す平面図である。
【００８９】
紙幣保留ユニット１２は、紙幣投入装置２２に投入された紙幣を一時保留し、一時保留した紙幣を紙幣搬送ユニット１６に引き渡す装置である。
紙幣保留ユニット１２は、紙幣保留ユニット基体４２と紙幣保留ユニットカバー４３とから構成されている。紙幣保留ユニット基体４２は、ほぼ矩形平板状の部材であり、平板部分には紙幣格納領域３４（図５（ｂ）参照）が形成され、平板の一端には紙幣導入路３５が形成されている。
【００９０】
紙幣導入路３５は、紙幣投入ノズル２６から導出されてきた紙幣を紙幣保留ユニット１２に受け入れる受入口である。紙幣導入路３５に隣接して紙幣を紙幣格納領域３４に誘導する曲面形状の誘導路４４が形成されている。誘導路４４の紙幣導入路３５とは反対側の端部には紙幣保留ユニット格納口３５ａが設けられている。紙幣保留ユニット格納口３５ａは紙幣格納領域３４の入口となっている。
【００９１】
従って、紙幣は立てられた状態（図５の紙面の表裏方向）で、その紙幣の片側の短辺が図５の紙面下方向から紙面上方に向けて紙幣導入路３５に受け入れられ、誘導路４４で９０度右向きに方向が変えられた後、紙幣保留ユニット格納口３５ａを通過して紙幣保留ユニット格納口３５ａの右側に設けられた紙幣格納領域３４に格納される。
【００９２】
紙幣保留ユニット基体４２には、ＣＰＵやメモリを備えた制御部（図示せず）とＤＣモータ３２と紙幣収容第１回転体３３とが組み付けられている。この実施形態の他、保留中継基板１４に制御部を設ける構成としてもよい。
【００９３】
制御部は、紙幣導入路３５の入口に設けられた入口センサ３１により紙幣の搬入が検知されると、ＤＣモータ３２を起動し、紙幣収容第１回転体３３を回転駆動させる。そして、紙幣収容第１回転体３３は、誘導路４４にある紙幣を摺動摩擦力で誘導路壁面に押し付けつつ、紙幣を紙幣保留ユニット格納口３５ａに導く。
【００９４】
紙幣保留ユニット１２では、紙幣取込み動作が当該紙幣保留ユニット１２に対する紙幣搬送ユニット１６の移動動作のない場合に限って許容されている。そして、紙幣保留ユニット１２では、格納された紙幣が所定の枚数（本実施形態では２０枚）内で、扉開放と紙幣詰りとを含む異常がないと判定された場合に、紙幣搬送ユニット１６における紙幣の搬送を実行される。
【００９５】
紙幣保留ユニット１２が保留する紙幣枚数は、入口センサ３１が紙幣の通過を検出して計数するものとしても良いが、紙幣取込センサ３９が紙幣格納領域３４への紙幣の格納を検出したセンサ信号に基づき計数する構成が、紙幣の破損や詰まりなどによって紙幣保留ユニット１２から紙幣が取除かれる場合もあるので好ましい。
【００９６】
また、紙幣搬送ユニット１６に紙幣保留ユニット１２より紙幣を引き渡す箇所に紙幣枚数計数用のセンサを設け、あるいは、紙幣搬送ユニット１６が搬送する紙幣枚数を計数する紙幣枚数計数用のセンサを紙幣搬送ユニット１６に設ける構成として、紙幣投入装置２２から島管理装置４に至る紙幣搬送経路１８上を移動する紙幣枚数を、紙幣投入装置２２から紙幣保留ユニット１２を経て紙幣搬送ユニット１６に載置される紙幣搬送経路１８上の複数箇所において格別に取得できるように構成しても良い。
【００９７】
また、紙幣保留ユニット１２では、制御部により紙幣満杯判定、紙幣詰りの異常判定、紙幣保留ユニットカバー４３の開放判定が実行され、何れかに該当する場合には、制御部は、保留中継基板１４に異常発生データを送信する。その結果、保留中継基板１４を介して異常発生データを受信した島管理装置制御部８０は、紙幣搬送ユニット１６における紙幣搬送を禁止するとともに、紙幣投入装置２２は入金処理（紙幣の取込み）を禁止することとなる。
【００９８】
そして、制御部は、遊技場島２における紙幣搬送経路１８に設置された紙幣保留ユニット１２における当該紙幣保留ユニット１２の紙幣保留ユニットカバー４３取出し、若しくは当該紙幣保留ユニット１２の扉開放を検出した場合にも、保留中継基板１４に異常発生データを送信する。その結果、保留中継基板１４を介して異常発生データを受信した紙幣搬送ユニット１６は紙幣回収動作を停止し、紙幣投入装置２２は入金動作を停止することとなる。
【００９９】
更に、制御部は、投受光レベルによって「正当な紙幣あり」と判定した場合に、紙幣搬送ユニット１６と紙幣保留ユニット１２による島管理装置４の金庫への紙幣搬送を許容する。判定投光側の変化に対応して受光側の出力電圧のレベル変化により真正な判定を実現することができる。
【０１００】
これは、遊技場島２における紙幣搬送の実行条件となる紙幣の有無の判定を、外乱光の影響を抑制して実行する機能であって、制御部は、発光側の変化に対応して、出力電圧が変化する場合を「紙幣あり」、出力電圧が変化しないでＬｏの場合を「紙幣無し」として判定し、紙幣の有無を示す紙幣有無データを保留中継基板１４に出力する。その結果、保留中継基板１４を介して紙幣有無データを受信した島管理装置制御部８０は、紙幣保留ユニット１２及び紙幣搬送ユニット１６における紙幣搬送動作を許可する。
【０１０１】
また、制御部は、遊技場の紙幣保留ユニット１２及び紙幣搬送ユニット１６における紙幣収容部に収容した紙幣の破れ、破損、折れ、曲がりに起因する異常判定を、紙幣保留ユニット１２及び紙幣搬送ユニット１６の何れかに設けられた紙幣格納領域３４に格納した紙幣の紙幣検出領域の相違（大小、不一致を含）により判定する。
【０１０２】
また、制御部は、紙幣保留ユニット１２への紙幣誘入に伴って生じるセンサによりＤＣモータ３２を起動させ、センサにおける紙幣通過後の光透過により紙幣保留ユニット１２に設けられたＤＣモータ３２の回転を停止する。
【０１０３】
更に、制御部は、紙幣に対する光センサの透過状態と遮蔽状態とに基づいて、異常紙幣が紙幣保留ユニット１２から取除かれたことを判定するとともに、紙幣の取除きが完了してから一定時間（０．２秒）遅延させて、ＤＣモータ３２を再駆動して紙幣を紙幣保留ユニット１２内への格納動作を再開する。
【０１０４】
<紙幣保留処理>
以上の構成及び機能を有する紙幣保留ユニット１２において制御部が実行する紙幣保留処理を図６のフローチャートに基づき説明する。
【０１０５】
紙幣保留処理は、紙幣保留ユニット１２の電源投入と同時に制御部で処理が開始され、図６に示したように、先ずＳ２００にて入口センサ３１（図５参照）の情報を取得し、Ｓ２０５へ移行する。
【０１０６】
Ｓ２０５では、Ｓ２００にて取得した入口センサ３１情報に基づき、紙幣が紙幣保留ユニット１２に送られてきたか否かを判定する。そして、紙幣が送られてきていなければ（Ｓ２０５でＮｏの場合）、Ｓ２００に戻って入口センサ３１の情報取得を繰り返す。一方、紙幣が送られてきていれば（Ｓ２０５でＹｅｓの場合）、Ｓ２１０へ移行してＤＣモータ３２を正回転させ、Ｓ２１５へ移行し、紙幣取込センサ３９の情報を取得した後Ｓ２２０へ移行する。
【０１０７】
Ｓ２２０では、Ｓ２１５で取得した紙幣取込センサ３９の情報に基づき、紙幣の取込みが完了したか否かを判定する。そして、紙幣の取込みが完了していなければ（Ｓ２２０にてＮｏの場合）、Ｓ２１５へ戻って紙幣取込センサ３９（図２、図５参照）からの情報取得を繰り返す。一方、紙幣の取込みが完了していれば（Ｓ２２０にてＹｅｓの場合）、Ｓ２２５へ移行する。
【０１０８】
Ｓ２２５では、ＤＣモータ３２を逆回転させ、続くＳ２３０にて、紙幣保留センサ６２(図１０）の情報を取得しＳ２３５へ移行する。このようにＤＣモータ３２を逆転させることで紙幣の搬送方向を９０°変換し、紙幣格納領域３４（図５参照）に紙幣を格納し、更に紙幣保留ユニット１２で保留した紙幣を紙幣搬送ユニット１６に引き渡す準備動作を実行する。
【０１０９】
即ち、ＤＣモータ３２が逆回転されると紙幣収容第１回転体と係合する図示しない第一のクラッチ機構を解き、第二のクラッチ機構によりＤＣモータ３２の駆動軸とを係合して、紙幣を紙幣投入装置２２方向からの直進動作を曲面形状の誘導路４４を介して９０度方向変換して紙幣搬送ユニット１６が走行する紙幣搬送経路１８に平行となる紙幣の紙幣保留ユニット１２における紙幣格納領域３４に送出する。
【０１１０】
紙幣保留ユニット１２の紙幣格納領域３４に到達した紙幣に対しては、紙幣を係入した紙幣押圧回転体３６が前記紙幣搬送ユニット１６が走行する紙幣搬送経路１８に９０度交差する回転動作により圧接して当該紙幣保留ユニット１２に収容する保留動作が行われる。
【０１１１】
Ｓ２３５では、Ｓ２３０にて取得した紙幣保留センサ６２の情報に基づいて、紙幣格納領域３４への紙幣の取込みが完了したか否かを判定する。そして、紙幣の取込みが完了していなければ（Ｓ２３５でＮｏの場合）、Ｓ２３０へ戻り、紙幣保留センサ６２の情報取得を繰り返す。一方、紙幣の取込みが完了していれば（Ｓ２３５でＹｅｓの場合）、Ｓ２４０へ移行し、０．５秒待機した後、続くＳ２４５で反転センサ６０（図１０参照）の情報を取得し、Ｓ２５０へ移行する。
【０１１２】
Ｓ２５０では、Ｓ２４５にて取得した反転センサ６０の情報に基づき紙幣押圧回転体３６（図２参照）が初期位置にあるか否かを判定する。そして、紙幣押圧回転体３６が初期位置になければ（Ｓ２５０でＮｏの場合）、Ｓ２４５へ戻り、回転センサの情報取得を繰り返す。一方、紙幣押圧回転体３６が初期位置にあれば（Ｓ２５０でＹｅｓの場合）、Ｓ２５５へ移行してＤＣモータ３２を停止し、Ｓ２００に戻り紙幣保留処理を繰り返す。
【０１１３】
<異常処理>
図７に紙幣保留ユニット異常処理のフローチャートを示す。この処理は、紙幣保留ユニット１２に設けられている各種センサからの信号入力があった場合に起動される割り込み処理であり、起動されると、先ずＳ７００にて各センサの情報を取得し、続くＳ７０５でどの部分に異常が発生したかを抽出した後Ｓ７１０へ移行する。
【０１１４】
ここで、センサの異常情報とは、紙幣保留ユニット１２における、扉開放検出センサ６４の開放検出情報、離脱検出センサ６３の離脱検出、入口センサ３１紙詰り検出、紙幣取込センサ紙詰り検出、満杯状態の判定情報をいう。
【０１１５】
なお、満杯の判定は既述の実施手段において入口センサ３１により検出された紙幣枚数が２０枚を超えた場合に満杯判定がされ、紙幣保留ユニット１２において保留されていた紙幣が紙幣搬送ユニット１６により回収されて転出したことが検出された場合に、判定情報はリセットされる。
【０１１６】
この場合、紙幣保留ユニット１２より紙幣搬送ユニット１６への受渡しが完了したことは、紙幣保留ユニット１２の紙幣保留領域に設けられた紙幣保留センサ６２（図１０参照）によって、紙幣保留ユニット１２側で待機している紙幣の有無を感知して判定する。
【０１１７】
勿論、紙幣搬送ユニット１６が紙幣保留ユニット１２で待機する紙幣を取込むワンショットの動作完了により、転出された紙幣の受渡しの確認をすること無く、紙幣搬送の制御を次の行程へすすめるものとしてもよい。
【０１１８】
Ｓ７１０では、ＤＣモータ３２を停止し、続くＳ７１５で異常発生情報（どのセンサで異常が発生したか）島管理装置制御部８０に送信した後、Ｓ７２０へ移行する。
Ｓ７２０では、各センサの情報を取得し、続くＳ７２５で、異常が解消したか否かを判定する。そして、異常が解消していなければ（Ｓ７２５でＮｏの場合）、Ｓ７２０に戻り、センサの情報取得を続ける。一方、異常が解消していれば（Ｓ７２５でＹｅｓの場合）、Ｓ７３０へ移行し、異常解消情報を島管理装置制御部８０に送信し、本処理を終了する。
【０１１９】
以上のような紙幣保留ユニット１２は、紙幣保留ユニット１２における紙幣投入装置２２からの紙幣取込み動作が、紙幣保留ユニット１２に対する紙幣搬送ユニット１６の回収移動動作のない場合に限って許容される紙幣回収規制制御手段を有している。従って、紙幣相互の干渉や紙幣詰りの発生を防止できる。
【０１２０】
また、紙幣保留ユニット１２は、紙幣満杯判定、紙幣詰り判定、若しくは紙幣保留ユニットカバー４３開放の何れかが発生している場合には、紙幣搬送ユニット１６における紙幣搬送を禁止するとともに、紙幣投入装置２２における入金処理（紙幣の取込み）を禁止する入金処理禁止制御手段を有している。従って、紙幣保留ユニット１２と紙幣搬送ユニット１６とにおける故障の発生が防止できるとともに紙幣保留ユニット１２と紙幣搬送ユニット１６とにおいて生じる紙幣詰りや紙幣の破損を防止できる。
【０１２１】
更に、紙幣保留ユニット１２は、格納された紙幣が所定の枚数内であって、少なくとも紙幣搬送経路１８の開放と紙幣詰りとの異常がない場合には、紙幣搬送ユニット１６における紙幣の搬送を実行する紙幣搬送制御手段を有している。従って、予めこれらの異状の有無が確認された後に紙幣搬送が実行されるので、紙幣の破損や更なる紙幣詰りが防止できるとともに紙幣保留ユニット１２と紙幣搬送ユニット１６における故障の発生が抑制できる。
【０１２２】
また、紙幣保留ユニット１２は、紙幣投入装置２２から紙幣搬送ユニット１６に至る紙幣搬送経路１８上における複数箇所でそれぞれ紙幣詰りを格別に検出して判定する複数個の紙幣詰り判定手段を有している（具体的には、入口センサ３１通過後、取込みセンサで紙幣詰りを検出）。従って、紙幣投入装置２２から紙幣搬送ユニット１６に至る紙幣搬送経路１８上で生じる異なる態様の紙幣詰りを併せて判定した後において紙幣の搬送が処理されることとなり紙幣搬送障害が頻発することが防止できる。
【０１２３】
また、紙幣保留ユニット１２は、遊技場島２における紙幣搬送経路１８上に設置された紙幣保留ユニット１２を紙幣搬送経路１８上から取出しを検知した場合、若しくは紙幣保留ユニット１２の扉開放を検出した場合に、紙幣搬送ユニット１６の紙幣保留ユニット１２からの紙幣回収動作と紙幣投入装置２２における紙幣の入金処理をともに停止する紙幣搬送待機手段を有している。従って、紙幣保留ユニット１２が取外され若しくは紙幣保留ユニット１２の扉が開放されて紙幣搬送経路１８が分断された場合に、紙幣投入装置２２における入金処理や紙幣搬送ユニット１６による紙幣の取込み動作が停止されるので、紙幣が紙幣搬送経路１８を外れて消失したり紙幣搬送経路１８の非連通時に紙幣が紙幣投入装置２２に入金されることが阻止できる。
【０１２４】
また、紙幣保留ユニット１２は、投受光レベルによって「正当な紙幣あり」と判定した場合に、紙幣搬送ユニット１６と紙幣保留ユニット１２による金庫部９０への紙幣搬送を許容するとともに、判定投光側の変化に対応して受光側の出力電圧のレベル変化により真正な判定を実現（換言すれば、光の透過と遮蔽のみによって紙幣の有無を判別する構成ではない）する紙幣搬送認証制御手段を有する。従って、例えば遊技場島２における遊技機前面枠の開放などによる光の混入を原因とする誤動作による紙幣搬送障害を軽減できる。
【０１２５】
また、紙幣保留ユニット１２は、遊技場内における紙幣搬送の実行条件となる紙幣の有無の判定を、外乱光の影響を抑制して実行する構成となっており、発光側の変化に対応して出力電圧が変化する場合を「紙幣あり」、出力電圧が変化しないでＬｏの場合を「紙幣無し」として判定した場合に紙幣搬送ユニット１６における紙幣搬送動作を許可する紙幣確認手段を有している。従って、光の透過と遮蔽のみによって紙幣の有無を判別する構成ではないので、搬送対象紙幣判別の精度が高まり、誤動作による紙幣搬送障害を生じることを防止できる。また、遊技場島２における遊技機扉の開閉によって紙幣搬送ユニット１６に光が混入することによる誤動作を抑制することができる。
【０１２６】
また、紙幣保留ユニット１２は、遊技場の紙幣搬送ユニット１６の紙幣収容部に収容した紙幣の破れ、破損、折れ、曲がりに基づく異常判定を、紙幣の紙幣検出領域の相違（大小、不一致を含む）により判定する搬送異常紙幣識別手段を有している。従って、紙幣が正規の紙幣搬送経路１８からずれ、あるいは、変形変位して搬送され格納されることにより紙幣詰りや紙幣破損が発生することを防止するとともに当該装置（紙幣投入装置２２、紙幣保留ユニット１２、紙幣搬送ユニット１６、紙幣搬送経路１８、金庫部９０）に故障が生じることが防止できる。
【０１２７】
また、紙幣保留ユニット１２は、紙幣投入装置２２の搬送速度より紙幣投入装置２２の後段に配置される紙幣保留ユニット１２の紙幣搬送速度を速く、若しくは同一速度に設定するとともに、紙幣保留ユニット１２における紙幣の取込みトルクが紙幣投入装置２２の紙幣搬送速度より弱く、若しくは同一トルクに設定した紙幣取込み作用調整手段を有している。従って、紙幣の取込み側の速度を紙幣が取込まれる側より速くするとともに、紙幣取込み側のトルクを紙幣が取込まれる側より小さくしたので、円滑な紙幣転送と転送に伴う紙幣破損の生じない搬送が実現できる。
【０１２８】
また、紙幣保留ユニット１２は、紙幣保留ユニット１２への紙幣誘入による光遮蔽によりＤＣモータ３２を起動する一方、センサにおける紙幣通過後の光透過により紙幣保留ユニット１２に設けられたＤＣモータ３２を停止する紙幣保留ユニット動作制御手段を有している。従って、紙幣保留ユニット１２に取込む紙幣に対して非接触で検出するので、例えば紙幣投入装置２２から導入された紙幣を紙幣保留ユニット１２に折曲げ作用しつつ導入する際に生じる摩擦抵抗に影響を与えない円滑な紙幣転送が実現できる。
【０１２９】
また、紙幣保留ユニット１２は、紙幣に対する光センサの透過状態と遮蔽状態との変換作用に基づいて、異常紙幣に対する紙幣保留ユニット１２からの紙幣取除き動作の完了を判定するとともに、紙幣の取除き動作が完了した一定時間（０．２秒）遅延させて、ＤＣモータ３２を再駆動して紙幣を紙幣保留ユニット１２内への格納動作を再開させる紙幣保留ユニット１２における紙幣保留動作制御手段を有している。従って、異常時における紙幣搬送動作の再起動が、異状回復後直ちに行われず一定時間経過した後行われるので、紙幣保留ユニット１２を構成する各部材や素子の復帰動作に遅延時間を要するものがあった場合にも紙幣投入装置２２についての円滑な再起動が実現できる。
【０１３０】
また、紙幣保留ユニット１２は、異常判定検出後において、紙幣保留ユニット１２の扉の閉鎖を扉開放検出センサ６４が検出することにより、保留中継基板１４若しくは島管理装置制御部８０に記憶された紙幣保留ユニット１２についての異常データをクリアする紙幣搬送異常データリセット手段を有している（つまり、リセットスイッチの操作によらない紙幣異常データリセット手段）。従って、紙幣詰りや紙幣保留ユニット１２の開放・離脱によって生じた異常データが、扉の紙幣保留ユニット１２への係着によって特別なリセット手段への操作がなされなくてもイニシャライズされるので、紙幣投入装置２２のリセット処理に労力を要さず、特にリセット操作忘れによる誤動作や不具合を紙幣搬送ユニット１６に生じることがなくなる。
【０１３１】
また、紙幣保留ユニット１２は、紙幣保留ユニット１２の扉が開放離脱状態より閉鎖係着状態への復帰されることにより島管理装置制御部８０と保留中継基板１４を含む紙幣保留ユニット１２との異常データのイニシャライズと、当該センサにおける検出信号のリセットとを実行するともに、紙幣搬送ユニット１６におけるＤＣモータ３２の駆動位置を初期値に復帰させる紙幣搬送ユニットリセット手段を有している。従って、紙幣搬送ユニット１６に記憶された異常データが、紙幣保留ユニット１２の扉の係着に伴いリセット手段への操作をすることなくイニシャライズされるので、紙幣搬送ユニット１６の復帰処理に労力を要さず、特に操作忘れによる不具合を紙幣搬送ユニット１６に呈することを防止できる。
【０１３２】
また、紙幣保留ユニット１２は、紙幣搬送ユニット１６において紙幣詰り等の異常が発生した場合に、紙幣取除き処理と電源投入信号とにより制御状態を異常状態（センサの検出リセット、球詰り表示の消去、ＤＣモータ３２による起動位置の初期化）より復帰させている（リセットスイッチの操作や扉の閉鎖によらない初期化手段）。従って、紙幣搬送ユニット１６で生じた異常データが、紙幣の取除き信号と電源投入とによって特別なリセット手段に対する操作なく初期化される紙幣搬送ユニット初期化手段を有している。従って、紙幣搬送ユニット１６におけるリセット処理に労力を要さず、またリセット操作忘れによる紙幣搬送ユニット１６の誤動作や不具合を防止できる。
【０１３３】
また、紙幣保留ユニット１２は、保留中継基板１４を含む紙幣保留ユニット１２に設けられた紙幣返却スイッチへの操作により当該紙幣保留ユニット１２におけるＤＣモータ３２の回転動作を実行して紙幣保留ユニット１２に挟持された異常紙幣を解放する紙幣取込障害回復手段を有している。従って、紙幣保留ユニット１２の扉を開放し若しくは紙幣保留ユニット１２を取外して詰まった紙幣を取除かなくても、簡便なスイッチ操作により障害紙幣を直ちに紙幣保留ユニット１２より取除くことができる。
【０１３４】
遊技場島２に構成される紙幣搬送経路１８から紙幣保留ユニット１２を開閉回動可能とする回動軸と、紙幣を保留する紙幣保留ユニット１２を紙幣搬送経路１８を形成する枠体より係脱可能とする係合部材とを有する紙幣搬送経路１８となっているため、遊技場島２に構成された紙幣搬送経路１８より障害の発生した紙幣保留ユニット１２を容易に取外し、再び紙幣搬送経路１８に紙幣保留ユニット１２を係着することが可能となる。
【０１３５】
また、紙幣保留ユニット１２には紙幣が誘導路を介して紙幣投入ノズル２６より導入される。すると、紙幣保留ユニット１２における入口センサ３１による紙幣検出によってＤＣモータ３２が起動される。
【０１３６】
ＤＣモータ３２が駆動されると、ＤＣモータ３２の回転軸に連繋される図示しないギア機構を介して紙幣収容第１回転体３３が回転する。すると、紙幣が紙幣収容第１回転体３３による接触摩擦と蹴出し作用を受けて紙幣保留ユニット１２の紙幣格納位置まで進入する。
【０１３７】
ここで、紙幣保留ユニット１２における紙幣格納領域３４には、上下一対の紙幣押圧回転体３６が設けられ、その紙幣押圧回転体３６は、ＤＣモータ３２にギア機構を介して連繋され正逆回転可能に軸支されている。一対の紙幣押圧回転体３６には紙幣収容溝３６ａが刻設され、紙幣保留ユニット１２の紙幣格納領域３４に導入された紙幣が当該上下一対の紙幣収容溝３６ａ内に納められて係止される。
【０１３８】
また、入口センサ３１による紙幣の検出に基づいて起動されたＤＣモータ３２の回転は
一定時間（０．５秒）継続されて紙幣の紙幣収容溝３６ａへの収納動作が完了する。
そして、紙幣格納領域３４、即ち、紙幣収容溝３６ａへの紙幣の格納動作が完了すると紙幣格検出センサにより紙幣の格納が検出される。紙幣の紙幣格納センサによる格納検出に基づいてＤＣモータ３２が再び起動され、図示しないギア機構を介して紙幣押圧回転体３６が回動され紙幣収容溝３６ａで係止された紙幣が回動動作に伴って紙幣挟持片３６ｂと紙幣押圧回転体３６の背面とによって把持される。
【０１３９】
即ち、紙幣押圧回転体３６の回転動作によって紙幣保留ユニット１２の紙幣格納領域３４に誘導された紙幣は、紙幣挟持片３６ｂと紙幣押圧回転体３６の背面とによって挟持され、所定枚数に至るまで順次積層され、紙幣保留ユニット１２の紙幣格納領域３４に格納される。
【０１４０】
また、紙幣押圧回転体３６の紙幣収容溝３６ａが、紙幣投入ノズル２６より紙幣を係入する回動位置は、紙幣押圧回転体３６の回動位置を検出する反転センサ６０からの出力信号に基づいて決定され、反転センサ６０の検出信号に対応してＤＣモータ３２が初期位置に復帰して停止するよう回転制御される。
【０１４１】
ところで、所定枚数の判定は、入口センサ３１の検出動作によるパルス波計数を制御部の演算手段を介して実行されるが、入口センサ３１の代わりに紙幣取込センサ３９の検出動作に基づいて実行されるものでも、あるいは、紙幣投入装置２２に設けられた紙幣識別用のセンサに基づいて実行されるものであってもよい。
【０１４２】
次に、図２若しくは図５において前面側及び背面側の複数の紙幣保留ユニット１２が取囲む中央部は、紙幣搬送ユニット１６が移動する紙幣搬送経路１８となる。
そして、紙幣保留ユニット１２の紙幣挟持片３６ｂと紙幣押圧回転体３６の背面とによって把持された紙幣は、紙幣搬送ユニット１６の図示しない係動片によって紙幣保留ユニット１２の紙幣挟持片３６ｂが押動されて開放される状態となる。そして、紙幣挟持片３６ｂが開放された後紙幣搬送ユニット１６の搬送紙幣収容台５４から紙幣を紙幣搬送ユニット１６に取込む。
【０１４３】
紙幣搬送ユニット１６に取込まれた紙幣は島管理装置４に設けられた金庫部９０に向かって搬送される。
一方、紙幣保留ユニット１２の紙幣格納領域３４に紙幣が保留されている状態において紙幣の返却が必要とされる場合には、（例えば、入口センサ３１、紙幣取込センサ３９、若しくは紙片格納検出センサにおいて所定時間以上紙幣の検出状態が継続して検出されたことを原因として紙幣詰りが判定された場合、あるいは、紙幣の破損が判定された場合。）これらのセンサ信号の判定結果に基づいて島管理装置４から図１９、図２０、図２１に示す送受信データ、即ち、図１９に示す島管理装置４からの問い合わせデータ（コマンド）に応答して、図２０及び図２１に示す異常情報を有する応答データ（コマンド）を処理した島管理装置制御部８０からの制御指令コマンド（図１９参照）が保留中継基板１４に送信される。
【０１４４】
制御指令コマンドを受信した保留中継基板１４は、保留中継基板１４に設けられた（実施形態によっては紙幣保留ユニット１２に設けられた）制御部のモータ制御回路を介してＤＣモータ３２を反転起動する。そして、ＤＣモータ３２の逆回転によって紙幣収容第１回転体３３が紙幣を押圧逆転して、紙幣を紙幣格納領域３４側より紙幣投入装置２２方向に導出する。
【０１４５】
また、紙幣押圧回転体３６の反転回動によっては、紙幣収容溝３６ａで係止される紙幣が紙幣保留ユニット１２の紙幣保留ユニットカバー４３側に向けて繰出される。従って、紙幣保留ユニットカバー４３が開放されることにより紙幣格納領域３４において詰りを呈した紙幣を容易に取除くことができる。
【０１４６】
なお、紙幣搬送ユニット１６が遊技場島２を移動する紙幣搬送経路１８の構造を図８及び図９において示した。紙幣保留ユニット基体４２に対して、紙幣保留ユニットカバー４３は紙幣保留ユニット１２の回動軸を介して旋回されて紙幣保留ユニット１２の紙幣保留領域を開放する構造となっている。図５を併せて参照。
【０１４７】
＜鍵部材＞
紙幣搬送経路１８において、紙幣保留ユニットカバー４３の前記回動軸側の他端には、紙幣搬送経路１８のフレーム構造を補強するとともに紙幣搬送経路側カバー４７に積層されて摺動する紙幣搬送経路側カバー摺動体４８（ユニット）と嵌合して、該紙幣搬送経路側カバー摺動体４８の移動と紙幣保留ユニット蓋（カバー）４３の開放とを所定の島管理者以外実施することができないものとする鍵部材１０８が設けられている。
【０１４８】
紙幣搬送経路側カバー４７と紙幣搬送経路側カバー摺動体４８とは、図９（ａ）に示すように紙幣搬送ユニット１６が往復移動する進路の軸線上に平行な複数の摺動軸を有する凹凸面形状をもって紙幣搬送経路側カバー４７に紙幣搬送経路側カバー摺動体４８が嵌合されて積層される。
【０１４９】
これによって紙幣搬送経路１８を形成するフレーム構造が補強されるとともに、図９（ｂ）に示すように、遊技場島２に固着された紙幣搬送経路１８の枠側に設けられた紙幣搬送経路側カバー４７より紙幣搬送経路側カバー摺動体４８のスライド操作によって紙幣搬送経路１８に作業用の開口が形成され、紙幣搬送経路１８内を通過する紙幣搬送ユニット１６などに対する作業を行うことが可能となる。
【０１５０】
なお、紙幣搬送経路側カバー４７と紙幣搬送経路側カバー摺動体４８とはともに透明半透明の合成樹脂材で形成して紙幣若しくは紙幣搬送ユニット１６を視認できるようにするのが好ましい。
【０１５１】
また、紙幣保留ユニット１２に関する紙幣詰りが判定された場合において、紙幣保留ユニット１２の紙幣保留領域内で捕捉された紙幣は、紙幣保留ユニットカバー４３の先端に設けられた鍵部材１０８（図５及び図８参照）を解錠操作して、紙幣搬送経路側カバー摺動体４８に鍵着された紙幣保留ユニットカバー（扉、蓋）４３を紙幣搬送経路側カバー摺動体４８より開放することができる。これにより紙幣保留ユニット１２の紙幣保留領域で捕捉されていた詰り紙幣は、遊技場の管理者により取除かれることが可能となる。
【０１５２】
また、紙幣保留ユニットカバー４３を含む紙幣保留ユニット１２が、鍵部材１０８に対する解錠操作によって、紙幣搬送経路１８を構成する枠体例えば紙幣搬送経路側カバー摺動体４８若しくは紙幣搬送経路側カバー４７取外し可能とされる。
【０１５３】
そして、紙幣保留ユニット１２を上記回動軸における軸支状態を取除くことによって、当該紙幣搬送経路１８の一部を構成した当該紙幣保留ユニット１２を紙幣搬送経路１８の構造体より分離し離脱させることができる。なお、回転軸の軸支構造については軸棒を付勢手段により軸孔で係支させる。
【０１５４】
以上により、例えば、紙幣保留ユニット１２において故障が発生した場合には、新たな紙幣保留ユニット１２に交換することが可能となり、故障の発生した紙幣保留ユニット１２に対する修理も容易に行えることとなる。併せて、紙幣保留ユニット１２紙幣搬送経路１８を構成する枠体より取除けば、紙幣搬送経路１８が開放されることとなって、紙幣搬送経路１８に対する保守作業や修理を容易に支障無く行うことも可能とする。
【０１５５】
なお、上記の遊技場島２に固着された紙幣搬送経路側カバー４７に対する紙幣搬送経路側カバー摺動体４８の伸縮摺動によって、遊技場島２に多数設置される紙幣保留ユニット１２相互の間隔が異なる場合であっても、紙幣搬送経路１８を適正に保護嵌装することができることともなる。
【０１５６】
なお、既述の紙幣詰りの判定に関する制御工程は次のようなものとなっている。
即ち、紙幣投入ノズル２６より導入された紙幣が紙幣保留ユニット１２における誘導路を通過して紙幣格納領域３４に至る過程において入口センサ３１と紙幣取込センサ３９とから放射される投光がともに遮蔽されて「紙幣あり」と検出され、しかも「紙幣あり」の検出状態が所定時間（６０ｍ秒）以上経過しても遮断状態が透過状態に復帰しない場合においては、紙幣詰りが判定されるとともに紙幣詰りが生じた箇所が入口センサ３１と紙幣取込センサ３９とを結ぶ位置において発生していることが判定される。
【０１５７】
また、紙幣押圧回転体３６がＤＣモータ３２より起動された信号が検出された後、所定時間経過しても反転センサ６０による紙幣押圧回転体３６の位置検出信号が受信されない場合にあっては、紙幣押圧回転体３６の紙幣収容溝３６ａで係止されていた紙幣が紙幣押圧回転体３６近傍において紙幣詰りを呈したと判定する。
【０１５８】
これらの紙幣詰り判定制御回路は保留中継基板１４の制御部に設けられ、紙幣保留ユニット１２で生じた紙幣詰りに対しては紙幣保留ユニット１２に対設された保留中継基板１４において判定制御されるものである。
【０１５９】
そして、既述したように、遊技場島２に列設された多数の紙幣保留ユニット１２における特定のアドレスを有する紙幣保留ユニット１２において紙幣詰りが発生すると、その紙幣詰りが発生したことを保留中継基板１４が島管理装置４に知らせる。
【０１６０】
つまり、島管理装置４の制御部からネットワークを介して送信されてくる問い合わせデータ（コマンド）（図１９参照）に応答して、その紙幣詰りが紙幣保留ユニット１２の入口センサ３１と紙幣取込センサ３９とを結ぶ線上の近傍において生じていることを保留中継基板１４が応答コマンドのデータのビット列（図２０、図２１参照）をもって返信する。
【０１６１】
図１９において、島管理装置４より紙幣保留ユニット１２側に対しては、島の左右列を指定する問合わせ列に関するデータビットと、指定された列に配列された紙幣保留ユニット１２の内特定の紙幣保留ユニット１２を指定するアドレスを示すデータビット、本実施形態においては５ビットと、問合わせする情報の別、即ち図２０で示すように主として紙幣保留ユニット１２の動作状態を内容とする応答コマンドか、図２１に示す各紙幣保留ユニット１２おける動作内容を詳細に記録した応答コマンドを要求するものかを指定して保留中継基板１４を介し、当該紙幣保留ユニット１２に送信する１ビットと、島管理装置４側で確認された当該紙幣保留ユニット１２において保留している受入紙幣枚数に関する５ビットデータが送信される。
【０１６２】
指定された列とアドレスを有する紙幣保留ユニット１２は、保留中継基板１４を介して通常情報の取得が要求された場合には、当該紙幣保留ユニット１２が待機中であるか、紙幣を受入動作中であるか紙幣の取込が完了しているのか、あるいは、紙幣詰りなどの異常を生じているのかを示す２ビットデータと、当該紙幣保留ユニット１２で受け入れた紙幣枚数を示す５ビットデータと、リセット処理後当該紙幣保留ユニット１２で保留した紙幣枚数の累積枚数に関する５ビットデータを図２０において示す例の如く応答コマンド１として返信する。
【０１６３】
一方、図２１に示すように、例えば島管理装置４が受信した応答コマンド１において異常を示すデータビットを応答コマンド１の保留動作ステータス情報により判別した場合には、島管理装置４に設けられた制御部の有するプログラムのセグメントにおける分岐命令によって、島管理装置４は当該紙幣保留ユニット１２に対して応答コマンド２を問合せコマンドのステータス要求ビットに１を指定して、再び、当該紙幣保留ユニット１２に応答コマンド２を要求する。
【０１６４】
指定された紙幣保留ユニット１２は例えば紙幣導入路３５に臨んで設けられた入口センサ３１が紙幣詰りを検出している場合には、応答コマンド２の異常ステータス情報において「００１０」の４ビットデータを書込み、島管理装置４に送信する。
【０１６５】
なお、応答コマンド１においては、受入異常の他、本実施形態においては、待機中、受入動作中、取込動作中の別を２ビットで識別して返信する構成としている。
また本実施形態における応答コマンド２においては、異常無し、紙幣満杯、紙幣取込詰まり、紙幣収納異状、紙幣戻り、紙幣引抜き、紙幣搬送失敗、紙幣保留ユニット１２開放、紙幣保留ユニットカバー４３開放の別が５ビットデータの内、４ビットで識別して表示する構成となっている。更に、紙幣保留ユニット１２に設けられた入口センサ３１、紙幣取込センサ３９、紙幣押圧回転体３６の回転位置を検出する反転センサ６０、紙幣保留ユニット１２における保留を示す紙幣保留センサ６２、紙幣保留ユニットカバー４３が開放されたことを示す扉開放センサ８１ａ（開閉センサ）、当該紙幣保留ユニット１２に紙幣搬送ユニット１６が対置しているか否かを示す紙幣搬送ユニット通過センサ６１における検出動作の有無を示すデータビットを有する構成となっている。
【０１６６】
図２１に示す設定情報は、保留中継基板１４において、特定の紙幣保留ユニット１２、遊技機８若しくは遊技媒体貸出装置１０に設けられることのある紙幣投入装置２２を当該特定の紙幣保留ユニット１２ともにアドレス（インデックスデータ）をロータリースイッチ７３とディップスイッチ７４とで設定する場合に設定された当該紙幣保留ユニット１２などのアドレスを島管理装置４の制御部に伝達するためのデータビットである。
【０１６７】
そして、島管理装置４では、その応答コマンドを受け、島管理装置表示操作パネル８１において紙幣詰りの異常表示が実行される。
つまり、島管理装置４に設けられた島管理装置表示操作パネル８１の蛍光表示パネル８２において異常表示（Ｅ）がされる。更に、島管理装置表示操作パネル８１は、遊技場管理者による操作ボタン（表示ボタン８４、機能ボタン８５、移動表示ボタン８５ａ、加減ボタン８５ｂ、解除ボタン８６、決定ボタン８７）への選択操作によって画面を詳細画面に切り換え、前述の紙幣詰りが所定のアドレスを有する特定の紙幣保留ユニット１２において発生した事実と、更に特定の紙幣保留ユニット１２における入口センサ３１と紙幣取込センサ３９とを結ぶ線上の近傍において紙幣詰りが発生している事実とが確認できる構成となっている。
【０１６８】
一方、保留中継基板１４いは発光色の異なる３個のＬＥＤ（ＲＧＢ）が配設されていて、紙幣保留ユニット１２において紙幣詰りが生じたことを赤色三点点滅により報知するようになっている。
【０１６９】
同時に、保留中継基板１４は紙幣投入装置２２のホルダ内の脱着可能に係着される構造であり、ＬＥＤからの投光は紙幣投入装置２２の図示しないホルダに透設された表示孔より拡散される構造を有する。
【０１７０】
一方、紙幣保留ユニット１２に遊技場島２に延設された上蓋と底板と、既述の紙幣搬送ユニット側カバーと紙幣返送ユニット側カバー４７と紙幣搬送経路側カバー摺動体４８とから形成される紙幣搬送経路１８の下端の底板版上には紙幣搬送ユニットガイドレール５１が敷設されている。紙幣搬送ユニットガイドレール５１の内側面を滑走する紙幣搬送ユニット１６には紙幣搬送ユニット第１ローラ５２が、下方端には片側に２個の搬送ユニット第２ローラ５３が架設された紙幣搬送ユニットが紙幣搬送ユニットガイドレール５１に嵌装されている。
【０１７１】
また、遊技場島２に延設された底板と、上蓋と、紙幣搬送経路側カバー４７と紙幣搬送経路側カバー摺動体４８と、紙幣保留ユニット１２とから形成される紙幣搬送経路１８の下端の底板上には、紙幣搬送ユニット１６が滑走する紙幣搬送ユニットガイドレール５１が敷設されている。
【０１７２】
島管理装置４内の金庫部９０に設けられた送りモータ５５（紙幣搬送駆動モータ）に連係された紙幣搬送ユニット作用紐が紙幣搬送駆動モータ５５の正回転によって島管理装置４側に紙幣搬送ユニット１６を牽引して移動させる。また、紙幣搬送駆動モータ５５の逆回転動作により島管理装置４とは反対方向である遊技場島２端部に設けられた紙幣搬送ユニット１６の待機位置に紙幣搬送ユニット１６が移送される。
【０１７３】
なお、以上に説明した以外にも、入口センサ３１、紙幣取込センサ３９、反転センサ６０、紙幣格納検出センサにおける検出動作を組み合わせて紙幣詰りを判定させてもよいことは勿論である。
<紙幣搬送ユニット>
紙幣搬送ユニット１６は紙幣保留ユニット１２ともに紙幣搬送手段となるものである。
【０１７４】
紙幣搬送ユニット１６は、図２に示すように、平板の縦面を有する部材であり、縦面には紙幣を収容する搬送紙幣収容台５４が設けられている。紙幣搬送ユニット１６は、紙幣搬送経路１８に設けられた紙幣搬送ユニットガイドレール５１に沿って移動する。紙幣搬送ユニット１６の上端に取り付けられた紙幣搬送ユニット第１ローラ５２と紙幣搬送ユニット１６の下端に取り付けられた搬送ユニット第２ローラ５３とが紙幣搬送ユニットガイドレール５１に沿って転動することにより、紙幣搬送ユニット１６が紙幣搬送ユニットガイドレール５１に沿って移動する。
【０１７５】
このような構成の紙幣搬送ユニット１６の動作について以下に説明する。
紙幣搬送ユニット１６は、図１に示す遊技場島２内の背面側島端末５（図１の紙面上方向）と右側島端末５（図１の紙面下方向）との間に設けられた紙幣搬送経路１８に沿って島管理装置４と各島端末５との間を移動する。
【０１７６】
一部重複して説明すれば、遊技場島２端部における初期の待機位置で停止していた紙幣搬送ユニット１６は、遊技場島２に列設された多数の紙幣保留ユニット１２の何れかにおける紙幣の保留枚数が２０枚に達したことが判定された場合には、判定信号を出力した紙幣保留ユニット１２に向かって移送される。
【０１７７】
紙幣保留ユニット１２での紙幣保留枚数は、紙幣が通過することによって紙幣取込センサ３９の光が遮断される都度、保留中継基板１４に設けられた演算手段のカウンタ回路による加算処理がなされる。加算処理は、当該紙幣保留ユニット１２が電気的に接続された各保留中継基板１４において設定されたアドレスに基づき、各紙幣保留ユニット１２毎に対応して行われる。
【０１７８】
そして、２０枚の保留枚数が演算手段のカウンタ回路によりカウントアップされたと制御部の判定回路が判定すると、既述したように、その判定信号が島管理装置４からの問い合わせデータ（コマンド）（図１９参照）に応答して応答コマンド（図２０、図２１参照）に含まれるカウントアップデータが島管理装置４に返信される。
【０１７９】
島管理装置４においては、受信した応答コマンドを判別して紙幣満杯が判定された紙幣保留ユニット１２を識別する。これにより遊技場島２の端部で待機していた紙幣搬送ユニット１６は、紙幣搬送駆動モータ５５（送りモータ５５）に連係された紙幣搬送ユニット作用紐が牽引され紙幣満タン信号を発信した紙幣保留ユニット１２に向かって移動を開始する。
【０１８０】
また、紙幣搬送ユニット１６が紙幣保留ユニット１２に接近すると紙幣保留ユニット１２に設けられた紙幣搬送ユニット通過センサ６１が紙幣を搭載する紙幣搬送ユニット１６の当該紙幣保留ユニット１２への接近と紙幣搬送ユニット１６が当該紙幣保留ユニットに対置したことを併せて検出する。
【０１８１】
なおこの場合、遊技場島２の紙幣搬送経路１８上を移動する紙幣搬送ユニット１６に対して、遊技場島２列の前後に配列された複数の紙幣保留ユニット１２に設けられた紙幣搬送ユニット通過センサ６１により予め順次検出して行く構成とすれば、紙幣保留ユニット１２における紙幣搬送ユニット１６側への紙幣の転出動作を、当該紙幣保留ユニット１２への紙幣搬送ユニット１６の到着が当該紙幣保留ユニット１２の搬送ユニット検出センサによっては検出できない早い段階で、前方に位置する紙幣保留ユニット１２の搬送ユニット検出センサの検出に応じて開始させることができるので、迅速で確実な紙幣の取込制御が実現できる。
【０１８２】
さて、紙幣搬送ユニット１６が紙幣保留ユニット１２に対置された場合には、紙幣保留ユニット１２の搬送ユニット検出センサが紙幣搬送ユニット１６を捉えて紙幣搬送ユニット検出信号を発信する。その紙幣搬送ユニット検出データは保留中継基板１４に送信される。そして、紙幣搬送ユニット検出データを受信した保留中継基板１４に設けられたモータ駆動制御回路はＤＣモータ３２を起動する。
【０１８３】
ＤＣモータ３２の回転起動により既述の紙幣押圧回転体３６が正転側に旋回される。
そして、紙幣押圧回転体３６が正回転すると紙幣押圧回転体３６の紙幣収容溝３６ａに収容されていた紙幣が紙幣搬送ユニット１６側に転位する。このとき、紙幣押圧回転体３６の紙幣挟持片３６ｂは、紙幣繰出片（突出した部分）によって紙幣押圧回転体３６が正転したときに常時紙幣を押圧する。すると、紙幣挟持片３６ｂは、紙幣繰出片による押圧作用に敗れて紙幣の搬送通路側を開放する状態に紙幣を導き入れる位置にまで退避する。  
【０１８４】
なお、紙幣挟持片３６ｂと紙幣押圧回転体３６の外周面で既に紙幣が挟持されている場合には、挟持されている紙幣に紙幣収容溝３６ａに紙幣が積載されることにより紙幣保留ユニット１２における紙幣は既述したように順次積層される。
【０１８５】
次に、遊技場島２の紙幣搬送通路側に転出された紙幣は、接近した紙幣搬送ユニット１６に設けられた係動片によって紙幣挟持片３６ｂによる把持作用が解除され紙幣搬送ユニット１６に設けられた搬送紙幣収容台５４に載置される。
【０１８６】
そして、紙幣保留ユニット１２により紙幣搬送ユニット１６に取込まれた紙幣は紙幣搬送ユニット１６によって島管理装置４に設けられた金庫部９０内に導き入れられる。
金庫部９０に導き入れられた紙幣搬送ユニット１６からは、後述するように、積層された紙幣が金庫部９０に移送される。
【０１８７】
そして、金庫部９０への紙幣の移送が終了すると紙幣搬送駆動モータ５５の逆回転動作によって紙幣搬送ユニット１６が島管理装置４とは反対側の島端末５に向かって移動する。
【０１８８】
紙幣搬送ユニット１６には、金庫部９０を有する島管理装置４が設けられた遊技場島２の反対側の島端部には、紙幣保留ユニット１２に設けられた紙幣搬送ユニット通過センサ６１と同様な位置検出センサであって、紙幣搬送ユニット１６を島端部に設定され初期位置として待機させるためのテールセンサが設けられている。当該テールセンサによって紙幣搬送ユニット１６の待機位置が設定され、紙幣搬送ユニット１６が起動する位置と返却されて待機する位置とが判定される。
【０１８９】
以上の機能を有する紙幣搬送ユニット１６が紙幣保留ユニット１２に一時保留されていた紙幣を回収する手順を図１１に示す。
先ず、紙幣搬送ユニット１６は図１１中右から左へ移動し、紙幣保留ユニット１２に接近する（図１１（ａ））。
【０１９０】
次に、紙幣搬送ユニット１６の先頭部分が紙幣保留ユニット１２の側壁にガイドされるようにして紙幣保留ユニット１２に入り込む（図１１（ｂ））。
そして、紙幣搬送ユニット１６が更に図１１中左へ進むと紙幣搬送ユニット１６の後端に設けられている搬送紙幣収容台５４が紙幣保留ユニット１２の入口に入り込み、紙幣Ｂを引っ掛けるようにして紙幣搬送ユニット１６に回収する（図１１（ｃ）、（ｄ））。
【０１９１】
そして、紙幣を回収した後、更に図１１中左へ進み、紙幣保留ユニット１２から回収した紙幣を保持し、紙幣保留ユニット１２から離脱（換言すれば、島管理装置４に接近）して行く（図１１（ｅ））
このような、紙幣搬送ユニット１６は、紙幣が紙幣搬送ユニット１６の基準位置（紙幣保留ユニット１２の紙幣格納領域３４若しくは紙幣搬送ユニット１６における紙幣収容領域）からずれた場合に紙幣搬送ユニット１６の動作を停止する紙幣搬送異常制御手段を有する。従って、回収した紙幣の搬送異常（紙幣のずれ）により、紙幣詰り等を発生させることがない。
【０１９２】
また、紙幣搬送ユニット１６により搬送される紙幣が紙幣搬送経路１８上で詰まり、若しくは紙幣搬送ユニット１６が搬送経路上において障害により停止した場合には、脱着交換可能にされた紙幣保留ユニット１２を紙幣搬送経路１８上より取外し、又は紙幣搬送経路１８を枠構造で構成する枠部材の一つである紙幣搬送経路側カバー４７、若しくは紙幣搬送経路側カバー摺動体４８を開放し、あるいは、紙幣搬送経路側カバー摺動体４８をスライドさせて紙幣搬送経路１８を開放することができる。
【０１９３】
紙幣搬送経路１８の開放に伴って紙幣搬送ユニット１６を紙幣搬送ユニットガイドレール５１上より離脱して紙幣搬送ユニット１６上にある障害紙幣を取除き、当該紙幣搬送ユニット１６に対する保守修理作業を行うことができる。勿論、前記紙幣搬送経路側カバー４７や紙幣搬送経路側カバー摺動体４８などへの開放操作によって紙幣搬送ユニット１６上で露出された紙幣を取除き、紙幣の搭載状態を適正な状態に修正することもできる。
<島管理装置>
<構成と機能>
図１２は、島管理装置４の主要部分を表す正面図である。
【０１９４】
島管理装置４は、紙幣搬送ユニット１６によって搬送されてきた紙幣を取込み格納する金庫部９０と、紙幣保留ユニット１２、保留中継基板１４及び紙幣搬送ユニット１６を制御する島管理装置制御部８０とを備える。島管理装置制御部８０については、図１５を参照して後述する。
【０１９５】
島管理装置４では、金庫部９０に進入した紙幣搬送ユニット１６上の紙幣を紙幣無センサ１００が「紙幣あり」を検出すると、プレス板９３が紙幣搬送ユニット１６上の紙幣を挟持して金庫部９０内における紙幣格納工程が開始される。
【０１９６】
一方、紙幣搬送ユニット１６に載置されていた紙幣が紙幣格納工程を経て金庫部９０内に取込まれることにより紙幣無センサ１００が紙幣搬送ユニット１６上の紙幣がなくなったことを検出する
そして、紙幣無センサ１００が紙幣搬送ユニット１６上の紙幣がなくなったことを検出すると紙幣搬送ユニット１６を紙幣搬送駆動モータ５５の再起動によって金庫部９０を有する島管理装置４とは反対側の遊技場島２端に移動する。
【０１９７】
金庫部９０は、図１２に示すように、正収納庫９１と副収納庫９２とから構成されている。図１２において、紙幣搬送ユニット１６が島管理装置４の金庫部９０に到着し、紙幣搬送ユニット１６内の紙幣がプレス位置検出センサ９３ａによって検出されると、プレス板９３が図示しないプレスモータによってプレス板軸９３ｂ周りに回動し、紙幣がピックアップローラ９４に押圧される。
【０１９８】
そして、押圧された紙幣がピックアップ位置検出センサ９４ａによって検出されると、ピックアップローラ９４が回転し、ピックアップローラ９４と前記プレス板９３とで挟持した紙幣の束の内上層一枚目の紙幣を係動して上方に上昇させる。上昇された紙幣は続いて配列された分離ローラ９５により引き込まれて上昇を続ける。
【０１９９】
分離ローラ９５には前記ピックアップローラ９４と同様に外周面の一部に欠部が形成されていて、摩擦接触による紙幣の持上げ間欠動作として、一枚の紙幣に対する接触係動作用が終了する回転位置において紙幣との摩擦接触が一時期停止させ、紙幣に対するピックアップ作用を間欠的且周期的に行って、一枚の紙幣を、前記紙幣の束より抜き出して分離する構造となっている。
【０２００】
分離ローラ９５を通過した一枚の紙幣は、搬送ローラ９７，９８，９９それぞれの作用により順次正収納庫９１に向かって搬送され、送りローラ１０１に到達する。
この間、搬送ローラ９７より搬送ローラ９８に至る紙幣搬送経路１８は、紙幣の移送経路を上昇方向より水平方向に変換する搬送方向切換部が曲折形成された、断面長方形状の間隙が形成された筒状の樹脂成型部材により構成されている。
【０２０１】
更に、送りローラ１０１によって、正収納庫９１に向けて紙幣が搬送されると、送り完了センサ９９ａで紙幣が検出される。そして、送り完了センサ９９ａで紙幣が検出されると、島管理装置制御部８０では、送り完了センサ９９ａの情報に基づいて、紙送り完了判定が行われる。
【０２０２】
この、島管理装置制御部８０で行われる紙送り完了判定では、送りローラ１０１で紙幣を搬送しながら送り完了センサ９９ａにて紙幣の破れや紙幣の位置ずれである搬送障害がが検出される。そして搬送障害が場合には、島管理装置制御部８０はその旨をを蛍光表示パネル８２に表示する。
【０２０３】
搬送紙幣の搬送障害は、紙幣に破れや破損若しくは折り曲げなどの損傷が生じていたり、搬送される紙幣に偏加重が作用し、同期した回転動作を行って紙幣を係動する各ローラの回転速度やトルクが、ノイズや振動などの外乱を受けて変動して移送制御に異常が生じた場合に発生する。
【０２０４】
従って、所定の領域内に限って移動する紙幣については正常なものとし、基準とする所定の領域内を逸脱して移動する紙幣を正収納庫９１に至る前に予め検出して、紙幣の金庫部９０内における搬送異常と格納異常の発生を未然に防止する紙幣送り判定手段を本発明の実施形態は採用している。
【０２０５】
なお、本実施形態においては、正収納庫９１に臨む送り完了センサ９９ａにおいて紙幣送りの異常を判定する構成としているが、複数個のセンサを組合わせて異常を判定し、分離ローラ９５より送り完了センサ９９ａに至る経路途上に判定センサを設ける構成としても良いことは勿論である。
【０２０６】
ここで、送り完了センサ９９ａを通過する紙幣の破れや位置ずれを検出する際の送り完了センサ９９ａの紙幣検出パターンの詳細を図１３、図１４に基づき説明する。
図１３、図１４に示すように、紙幣の破れや位置ずれは、紙幣の搬送時に送り完了センサ９９ａが紙幣を検出している時間（検出された信号の持続時間）によって判定している。  そして、判定に当たっては、問題とならない紙幣の微細な破れ、ゴミ、ノイズ等の判定エラー要因による判定エラーをなくすため、送り完了センサ９９ａで検出された実際の紙幣の搬送時間に１０ｍ秒のディレー時間を付加して判定を行っている。
【０２０７】
そして、検出された信号の持続時間がディレーを含めて５０ｍ秒以下の場合には、ゴミ、ノイズの影響であるとして無視する（図１３（ｂ）の場合）。
また、検出された信号の持続時間がディレー時間を含めて２５０ｍ秒〜４５０ｍ秒の場合には紙幣の破れや位置ずれがない（つまり、正常）と判定する（図１３（ａ）の場合）。
【０２０８】
更に、検出された信号の持続時間が、ディレーを含めずに４５０ｍ秒以上の場合には、紙幣が１０度以上傾いて搬送されてきた（つまり、位置ずれ異常が発生）と判定される（図１３（ｃ）の場合）。
【０２０９】
また、検出された信号の持続時間が２５０ｍ秒以下の場合は紙幣が破れていたりする場合であり、紙幣の異常と判定される（図１３（ｃ）の場合）。
そして、図１４に示すように、問題とならない紙幣の微細な破れがあり、検出された信号が一瞬途切れた場合であっても、その時間が１０ｍ秒以内（つまり、ディレー時間内）であれば、異常とは判定されない（図１４（ａ）の場合）。
【０２１０】
一方、検出された信号がディレー時間を含めて１０ｍ秒以上に亘って途切れた場合には無視できない紙幣の破れがある（つまり、紙幣異常）と判定される（図１４（ｂ）の場合）。
【０２１１】
そして、紙幣の異常や位置ずれがない（つまり、正常）と判定された場合は、紙幣枚数が集計される。
そして、紙幣送り完了判定が正常である場合には、紙幣はそのまま正収納庫９１へ送られる。
【０２１２】
次に、正収納庫９１には上下一対のスタック板１０３と１０４とが設けられていて、正収納庫９１に到達した紙幣は下部スタック板１０３と上部スタック板１０４との間に誘入される。既に紙幣が下部スタック板１０３上に格納されている場合には、格納済み紙幣の表層の紙幣と上部スタック板との間に形成された紙幣格納領域３４に、新たに格納される紙幣が積載される。新たに格納される紙幣は、上部スタック板１０４がスタックモータ１０２の回転動作に基づいて下降すると、押圧されて格納済み紙幣上に積載される。
【０２１３】
上部スタック板１０４は、紙幣を押圧して格納した後スタックモータ１０２の逆回転動作により初期の待機位置に復帰して、新たな紙幣を収容可能とするための紙幣格納領域３４を紙幣搬送経路１８に連通状態に形成する。
【０２１４】
一方、下部スタック板１０３は、紙幣とともに上部スタック板１０４により押圧されて下降した位置において鋸歯状で弾性体の付勢力を受けて多段に係支するラチェット機構により、次に投入されてくる紙幣を収納可能な位置において係り止められる。
【０２１５】
このようにすれば、正収納庫９１に格納される紙幣は上下のスタック板１０３，１０４により押圧されて格納されるものとなるので、紙幣の曲がり折れが強制され伸ばされて紙幣の歪みが補正されるとともに、収容する紙幣の間隙と厚さを軽減して正収納庫９１における紙幣格納領域３４を有効に使用する構造とすることができる。
【０２１６】
なお、下部と上部のスタック板１０３，１０４を設けること無く、下部スタック板１０３のみを設け、該下部スタック板１０３をスタックモータ１０２により正収納庫９１内に積載された紙幣枚数（紙幣枚数データは、既述の紙幣枚数計数手段により取得できる）に応じて下降させ、順次紙幣格納領域３４を広げてゆく構成としてもよい。
【０２１７】
そして、スタック満杯検出センサ１０３ａが紙幣満杯を検知した場合において、紙幣搬送ユニット１６が島管理装置４の金庫部９０内に到達して紙幣の格納動作が起動されていると、紙幣搬送ユニット１６上の紙幣は、前記ピックアップローラ９４とプレス板９３とで把持された紙幣が補助スタック板１０６により押圧されると同時に、ピックアップローラ９４とプレス板９３とによる把持作用が解除される。把持作用の解除は、プレス板９３がプレスモータの初期位置に復帰される逆回転動作によって行われる。
【０２１８】
そして紙幣が補助スタック位置に待機していることが判定されると、図示しない補助スタックモータが起動され、補助スタック板１０６がコイルスプリング１０７の付勢力に抗してモータ駆動により押圧され紙幣は副収納庫９２に収納される。
【０２１９】
島管理装置４の島管理装置制御部８０には入出力装置としての島管理装置表示操作パネル８１と蛍光表示パネル８２とが設けられる。図１５において島管理装置制御部８０の概要を示す。
【０２２０】
図１５に示すように、島管理装置表示操作パネル８１は、蛍光表示パネル８２を待機画面、集計画面、エラー表示画面に切り換えるための表示ボタン８４と、機能選択画面に切り換える機能ボタン８５と、操作済みの機能設定を解除し、保留中継基板１４より受信し、島管理装置４の島管理装置制御部８０において入力した入力データあるいは、検出したエラーを必要によりクリアしてリセットする解除ボタン８６と、入力したデータや選択した機能を確定する決定ボタン８７とを備える。
【０２２１】
さらに、選択した機能や表示のグループに属する制御の詳細項目を、順次展開して表示し、あるいは、概要項目に順次収束して戻し表示する（▼）ボタン（▲）ボタンとによりなる移動表示ボタン８５ａと、遊技場島２に列設された紙幣保留ユニット１２と紙幣投入装置２２とを特定するアドレスが設定された各保留中継基板１４の番地を順次増分して選択するための（＋）ボタンと漸減させて選択する（−）ボタンとによりなる数値入力用の加減ボタン８５ｂが設けられていて、加減ボタン８５ｂへの操作を繰り返すことによって、図１６における０１番地の保留中継基板１４に関する紙幣保留枚数から００番地の保留中継基板１４に関する紙幣保留枚数とを操作に対応して切り換え表示することができる。
【０２２２】
そして、例えば、エラー表示画面にあっては、異常の発生した紙幣保留ユニット１２を島マップ表示（図１６）で表示した後、当該紙幣保留ユニット１２における異常の発生箇所となる例えば紙幣取込センサ３９を、操作によって順次切り換え表示し、更にエラーコードの表示の後、エラー内容を説明する文章列を展開表示する。
【０２２３】
集計画面表示にあっては、集計対象とする紙幣保留ユニット１２を島マップ表示(図１６)で表示した後、当該紙幣保留ユニット１２が保留し搬送した紙幣の累計枚数を表示し、あるいは、島マップ表示(図１６)で現された現在の紙幣保留枚数を切り換え操作せずに表示することも選択することができる。
【０２２４】
なお、上記した図１５ における機能選択画面、待機画面、エラー表示画面、集計画面の詳細については更に次のようなものを設定することが考えられる。
待機画面においては、例えば遊技場島２の紙幣搬送装置における紙幣搬送動作や異常の発生を遊技場内の島を摸し図形化したマップ図形上で表示し、日付、時刻を表示し、集計履歴表示する。
【０２２５】
機能選択画面においては、紙幣搬送モード（遊技場営業中における通常営業における紙幣の搬送制御態様と、遊技場閉店時における紙幣の搬送制御態様との切換、この場合閉店時における紙幣の搬送制御には、紙幣投入装置２２より紙幣保留ユニット１２に至って各紙幣保留ユニット１２において保留されている紙幣を順次回収して、紙幣搬送経路１８上で残留する紙幣を島管理装置４における金庫部９０内に全て格納させる制御態様が含まれる。）や、紙幣搬送モード（通常営業時、閉店持の切換）や、島構成設定（遊技場島２に設置する紙幣投入装置２２を含む紙幣保留ユニット１２の右左台数設定）、あるいは、搬送条件設定（紙幣保留ユニット１２で保留する紙幣の保留枚数、保留時間）、 若しくは特定の紙幣投入装置２２を含む紙幣保留ユニット１２に関する個別データの選択、集計クリア日付時刻の切換を行う為の情報表示等を行うものとしてもよい。
【０２２６】
エラー表示画面においては、エラー履歴表示、例えば過去３０回分の紙幣搬送エラー発生日付時刻、エラー発生場所、エラーの種別、表示されるエラーコード内容等が表示される。
【０２２７】
異常の発生した島管理装置４を含む紙幣搬送装置における表示、島管理装置４にあっては検出されたスタッカ満杯、プレス保持異常、ピックアップ異常、送り検出異常、紙幣枚数データ異常が表示される。
【０２２８】
また、紙幣保留ユニット１２に関しては、紙幣保留ユニット満杯、紙幣保留ユニット入口詰まり、紙幣保留ユニット取込詰まり、紙幣保留ユニット扉開放、紙幣保留ユニット蓋離脱、紙幣搬送ユニット１６の停止、紙幣保留ユニット１２における保留枚数オーバー、紙幣搬送ユニット１６若しくは遊技場島２に配列された紙幣保留ユニット１２に関する搬送限度枚数オーバー等の表示が行われる。
【０２２９】
集計画面においては、回収紙幣に関する回収合計金額、金庫部９０における受入判定合計枚数、遊技上島に列設された全紙幣保留ユニット１２で保留されている現在保留中紙幣の合計枚数、紙幣搬送ユニット１６において現在搬送中の合計紙幣枚数の表示が行われる。
【０２３０】
なお、集計画面を選択して、紙幣枚数補正操作を選択すると図示する数字キー８２ａが表され、表示された数字キー８２ａを選択して、紙幣搬送途上で障害により取除いた紙幣枚数を加算対象として入力することにより、先に島管理装置４の金庫部９０に格納したものとして計数された紙幣枚数に、当該抜取り紙幣枚数を加算した紙幣格納枚数を一連の遊技媒体貸出により当該島が取得した入金データとして記憶させることができる。
【０２３１】
また、当該紙幣枚数補正処理を島管理装置４の島管理装置制御部８０における紙幣枚数補正操作によりすること無く、当該遊技場において発生した入金処理を一括して管理する遊技場管理装置６においてするものとしても良く、あるいは、抜き取った紙幣を島管理装置４の金庫部９０におけるスタック位置（紙幣搬送ユニット１６が紙幣を積載して到着する位置）に挿入し、プレス板９３とピッアップローラとで金庫部９０内に取込んだ後、搬送し、正収納庫９１で格納する紙幣枚数をカウントする計数手段において、取除き操作されず正収納庫９１に到達した紙幣とともに入金データとして処理し、紙幣を格納させるものとしても良い。この場合、破損などの障害を生じた紙幣は、正常な紙幣に置換えられて格納されることとなる。
【０２３２】
図１６は、蛍光表示パネル８２で表示される遊技場島２における紙幣搬送ユニット１６の動作内容を示したものである。ここで数値１から０までは、それぞれ遊技場島２の前面側及び背面側に配列された遊技媒体貸出装置１０を含む紙幣投入装置２２を示している。
【０２３３】
図１６においては、島管理装置４から他端の紙幣搬送ユニット１６が待機するテールセンサ設置位置に至る紙幣搬送経路１８と、紙幣搬送経路１８に付設された紙幣投入装置２２、即ち保留中継基板１４を特定する番地１，２，３，４，５，６，７，８，９，０と、紙幣保留ユニット１２若しくは紙幣搬送ユニット１６の動作情報とを、各紙幣保留ユニット１２で保留している紙幣枚数とともに表示する構成を示している。
【０２３４】
□形状のブロックが島管理装置４であって２本の平行線を紙幣の搬送経路として図示されている。
△形状で図示するのが紙幣搬送ユニット１６であって、現在時刻においてはＮｏ．８番目の紙幣投入装置２２とＮｏ．９番目の紙幣投入装置２２の中間位置を移動する状態が示されている。なお、紙幣投入装置２２には紙幣保留ユニット１２が対設されているので、Ｎｏ．８、Ｎｏ９のアドレスを有する２つの紙幣保留ユニット１２に紙幣搬送ユニット１６が移動していることが把握できる。
【０２３５】
なお、本実施形態においては島の前面側と背面側とで二つの紙幣投入装置２２が設けられこれに対応した二つの紙幣保留ユニット１２があるので、Ｎｏ８の二つの紙幣保留ユニット１２に紙幣が近づき紙幣の受け取り制御を開始するものと把握することができる。
【０２３６】
また、Ｎｏ８の紙幣保留ユニット１２の一方は、１１枚の、他方は現在０３枚の紙幣を貯留していることも併せ確認することができる。
次に、記号＋は、図１６において上方の配列においてはＮｏ．１のアドレスを有する紙幣保留ユニット１２と下方の紙幣保留ユニット１２の配列及びＮｏ．９のアドレスの紙幣保留ユニット１２に係る配線、信号系統において断線状態が生じ、島管理装置４との通信ができない状態に陥っていることを示している。
【０２３７】
また、記号Ｅは、上方の配列においてはＮｏ．５のアドレスを有する紙幣保留ユニット１２と下方の紙幣保留ユニット１２の配列及びＮｏ．４のアドレスの紙幣保留ユニット１２に係る配線、信号系統において紙幣詰りや扉開放といった異常状態が発生していることを示している。
【０２３８】
そして、表示されたエラーの内容については、機能選択ボタンを操作してエラー表示画面よりエラーの種別を確認するエラー説明画面に切り換えることによって、エラーとして判定された異常の内容が、当該番地で表された紙幣投入装置２２側における、紙幣保留ユニットカバーの開放若しくは紙幣保留ユニット１２の離脱、あるいは、紙幣詰まりなどの別であることを確認することができる。
【０２３９】
更に、記号●は上方に配列されたアドレスＮｏ．６紙幣保留ユニット１２において紙幣の満杯、例えば２０枚の紙幣が保留され、これ以上紙幣投入装置２２に紙幣が投入できず遊技機８による遊技ができない状態に至ることを報知している。
【０２４０】
また、記号○で図示された紙幣保留ユニット１２においては、現在正常な紙幣保留動作が実行されていることを蛍光表示パネル８２の表示画面において一括して確認することができる。
【０２４１】
以上のように、機能選択画面と島管理装置表示操作パネル８１、８２とにおける機能ボタン８５や表示ボタン８４への選択操作によって、島全体として一括で、若しくは島における特定の紙幣投入装置２２から紙幣保留ユニット１２に至る紙幣搬送と、島管理装置４の金庫部９０に至る紙幣搬送ユニット１６による紙幣搬送制御を個別に、動作状況を確認するとともに表示制御することができる。
【０２４２】
なお、表示パネルは蛍光表示パネルとせず、カラー液晶表示パネルやプラズマディスプレイとしてよいことは勿論である。また、カラー液晶表示パネルには、タッチパネル機能を搭載し機能ボタンや表示ボタンの機能を有する構成とすることもできる。
【０２４３】
<データ送受信>
次に、有価媒体搬送装置における島管理装置制御部８０と他の構成品との間にデータの送受信について図１７及び図１８に基づき説明する
図１７は有価媒体管理設備の全体ブロック図であり、図１８は有価媒体管理設備の各構成品の構成と通信方法を示した図である。
【０２４４】
有価媒体管理設備における通信は、図１８に示すように保留中継基板１４を介して行われる。即ち、保留中継基板１４を介して紙幣投入装置２２、紙幣保留ユニット１２と島管理装置制御部８０とのデータの送受信が行われる。尚、紙幣搬送ユニット１６の位置データ等は紙幣保留ユニット１２に備えられたセンサ等により検出されるため、紙幣搬送ユニット１６の位置データ等は紙幣保留ユニット１２から島管理装置制御部８０に送信されるようになっている。
【０２４５】
実際の通信の際は図１８に示すように、島管理装置４が紙幣投入装置２２及び紙幣保留ユニット１２宛の制御信号及び紙幣搬送データ問い合わせ信号等を保留中継基板１４に向けて送信する。島管理装置４は１つの保留中継基板１４に対して１０ｍｓ単位にて通信し、紙幣保留ユニット１２の島管理装置４に近い順に５０ｍｓ単位で島管理装置４から呼掛け送信を行い、紙幣保留ユニット１２の動作情報と 紙幣搬送ユニット１６の位置データのレスポンスを取得する。一方保留中継基板１４においては、島管理装置４からの読み出しに対し５ｍｓ以内に応答しデータを返信する。
【０２４６】
具体的には、紙幣投入装置２２は、島管理装置制御部８０から紙幣枚数を問い合わせる問い合わせデータ（コマンド）が送信されると紙幣枚数データを島管理装置制御部８０に返信する。
【０２４７】
また、紙幣保留ユニット１２で異常が発生した場合は、紙幣保留ユニット１２から異常データが島管理装置制御部８０へ送信され、その異常データを受信した島管理装置制御部８０は、紙幣投入装置２２へ投入禁止データを送信する。
【０２４８】
勿論、当該紙幣投入装置２２から紙幣保留ユニット１２に至る装置上での異常が検出された場合には、島管理装置４からの指令を待つこと無く、紙幣投入装置２２や紙幣保留ユニット１２の制御部や保留中継基板１４より紙幣投入禁止データを紙幣投入装置２２に送信する構成のものとしても良い。
【０２４９】
また、紙幣保留ユニット１２で紙幣搬送ユニット１６の接近を検出した場合には、紙幣搬送ユニット１６から島管理装置制御部８０へ通過データが送信され、島管理装置制御部８０は、その通過データに基づいて紙幣投入装置２２へ投入禁止信号を送信する。
【０２５０】
以下、以上と同様に島管理装置４における島管理装置制御部８０からの指令を待つこと無く、紙幣保留ユニット１２より保留中継基板１４を介して紙幣投入装置２２へ紙幣投入禁止信号を出力する構成としても良い。
【０２５１】
なお、前記した島管理装置４の島管理装置制御部８０が保留中継基板１４を介して受信した異常や接近信号若しくは位置情報に基づいて蛍光表示パネル８２でのエラー表示等が実行される。
【０２５２】
更に、紙幣投入装置２２、紙幣保留ユニット１２から異常信号が送信された場合には、島管理装置制御部８０は、その信号を受信し、蛍光表示パネル８２で異常箇所と異常の内容を簡略化して識別表示する異常コード番号を表示する。
【０２５３】
更にまた、島管理装置制御部８０は、紙幣保留ユニット１２から送信される紙幣搬送ユニット１６の位置情報を受信し、蛍光表示パネル８２でその位置情報（紙幣搬送ユニット１６の位置情報）を表示する。
【０２５４】
上記の、保留中継基板１４を介して、島管理装置制御部８０と紙幣保留ユニット１２及び紙幣投入装置２２との間で送受信されるデータの構造を図１７に示す。
既に説明したように、図１９に示す問合わせコマンドは、島管理装置制御部８０から保留中継基板１４に対して送信される送信コマンドであり、図２０及び図２１に示すデータは、保留中継基板１４から島管理装置制御部８０に返信される返信コマンドである。
【０２５５】
図１９に示す送信コマンドは、各島端末５の紙幣保留ユニット１２の島列を指定（前面側・背面側の何れか）するビット列、紙幣保留ユニット１２のアドレスを特定するビット列、紙幣保留ユニット１２についてその動作情報（正常であるか異常であるかの動作ステータス）を要求するビット列、搬送位置情報（待機、接近、停止、通過待ち）を要求するビット列及び受入紙幣枚数を要求するビット列から成る。
【０２５６】
これに対応して、図２０に示す返信コマンドは、紙幣保留ユニット１２の島列（前面側・背面側の何れか）を表すビット列、紙幣保留ユニット１２のアドレスを表すビット列、紙幣保留ユニット１２の保留動作ステータス（待機、受入、取込み、異常）を表すビット列、紙幣保留ユニット１２の搬送動作ステータス（通常、通過待ち、通過中）を表すビット列、受入紙幣枚数を表すビット列及び現在保留枚数を表すビット列から成る。
【０２５７】
更に、図２１に示す返信コマンドでは、紙幣保留ユニット１２の島列（左右列、即ち前面側か背面側の何れか）を表すビット列、紙幣保留ユニット１２のアドレスを表すビット列、紙幣保留ユニット１２について異常があった場合はその異常ステータス内容（満杯、入口詰り、異常収納、紙幣戻り、紙幣引抜き、搬送失敗、紙幣保留ユニットカバー４３開放）を表すビット列及び紙幣保留ユニット１２に設けられている各センサ（入口センサ３１、取込みセンサなど）の状態を表すビット列から構成される。
【０２５８】
このように、島管理装置制御部８０は、保留中継基板１４を介して紙幣保留ユニット１２及び紙幣投入装置２２との間で送受信コマンドを送受信することにより紙幣保留ユニット１２、紙幣搬送ユニット１６、紙幣投入装置２２、遊技媒体貸出装置１０を制御している。
【０２５９】
次に、以上に説明した島管理装置制御部８０で実行される処理について、図２２〜図２４のフローチャートに従って説明する。
<紙幣搬送ユニット制御処理>
図２２に紙幣搬送ユニット制御処理のフローチャートを示す。この紙幣搬送制御ユニット制御処理は、島管理装置制御部８０の電源投入に応じて開始される。そして、図２２に示すように、先ず、Ｓ３００で紙幣保留ユニット１２から紙幣搬送ユニット１６の位置データを取得し、Ｓ３０５へ移行する。
【０２６０】
Ｓ３０５では、Ｓ３００にて取得した紙幣搬送ユニット１６の位置データから、紙幣搬送ユニット１６が何れかの紙幣保留ユニット１２の位置にあるか否かを判定する。そして、紙幣搬送ユニット１６が何れかの紙幣保留ユニット１２の位置になければ（Ｓ３１０でＮｏの場合）Ｓ３６５へ移行し、紙幣搬送ユニット１６の牽引を続ける。逆に、紙幣搬送ユニット１６が紙幣保留ユニット１２の位置にあれば（Ｓ３１０でＹｅｓの場合）、Ｓ３１０へ移行する。
【０２６１】
Ｓ３１０では、紙幣投入装置２２に紙幣投入禁止データを送信し、続くＳ３１５で紙幣保留ユニット１２から紙幣抜取りデータを受信し、Ｓ３２０へ移行する。
Ｓ３２０では、Ｓ３１０にて受信した紙幣抜取りデータに基づき、紙幣保留ユニット１２から紙幣が抜き取られたか否かを判定する。そして、紙幣が抜き取られていなければ（Ｓ３２０でＮｏの場合）、Ｓ３６５へ移行して、紙幣搬送ユニット１６の牽引を続ける。
一方、紙幣保留ユニット１２から紙幣が抜き取られていれば（Ｓ３２０でＹｅｓの場合）、Ｓ３２５へ移行する。
【０２６２】
Ｓ３２５では、紙幣投入装置２２に紙幣投入許可データを送信し、続くＳ３３０で保留中継基板１４から紙幣保留ユニット１２のアドレス（Ｎ）を取得し、Ｓ３３５へ移行する。
【０２６３】
Ｓ３３５では、Ｓ３３０にて取得したアドレス（Ｎ）が最大値（つまり、遊技場島２端に一番近い紙幣保留ユニット１２であることを示す。）であるか否かを判定する。そして、アドレス（Ｎ）が最大値でなければ（Ｓ３３５でＮｏの場合）、Ｓ３６５へ移行し、紙幣搬送ユニット１６の牽引を続ける。一方、アドレス（Ｎ）が最大値であれば（Ｓ３３５でＹｅｓの場合）、Ｓ３４０へ移行し、搬送紙幣金庫内格納処理を実行した後Ｓ３４５へ移行する。
【０２６４】
Ｓ３４５では、紙幣搬送ユニット１６を初期位置（つまり、島管理装置４の設置位置と反対端）へ向かって移動させ、続くＳ３５０で島端位置検出センサ信号を入力し、Ｓ３５５へ移行する。
【０２６５】
そして、Ｓ３５５で、島端位置センサ信号に基づき紙幣搬送ユニット１６が島端にあるか否かを判定する。そして、紙幣搬送ユニット１６が島端になければ（Ｓ３５５でＮｏの場合）、Ｓ３４５に戻って紙幣搬送ユニット１６を初期位置へ戻す処理を続ける。一方、紙幣搬送ユニット１６が島端にある場合は（Ｓ３５５でＹｅｓの場合）、Ｓ３６０へ移行する。
【０２６６】
Ｓ３６０では、紙幣搬送ユニット１６の移動を停止し、その後Ｓ３００に戻って、紙幣搬送ユニット制御処理を繰り返す。
電源遮断若しくは、貯留紙幣の消滅と、蛍光表示パネル８２に対する紙幣搬送終了指令の入力によって完了する。
【０２６７】
変形例として、紙幣保留ユニット１２の紙幣搬送ユニット通過センサ６１（紙幣搬送ユニット搬送位置検出手段）により紙幣搬送ユニット１６の搬送位置データを取得し、紙幣保留ユニット１２に関するアドレスが最大値になるか否かで金庫内格納処理に移行するのではなく、島管理装置４の設けられた島端とは反対側の紙幣搬送ユニット１６が初期位置として待機するテールセンサの設けられた箇所より、順次、島管理装置４に向かってシーケンスに位置情報を取得しつつ各紙幣保留ユニット１２で保留された紙幣を紙幣搬送ユニット１６側に取込ませ、紙幣搬送ユニット１６が取込んだ紙幣枚数が紙幣搬送ユニット１６の搭載許容枚数を超えることが判定された場合には、紙幣保留ユニット１２からの紙幣の取込動作を終了して島管理装置４の金庫部９０に向けて紙幣搬送ユニット１６を移動し金庫部９０内格納処理に移行させるものとしても良い。
【０２６８】
紙幣保留ユニット１２が取得した紙幣搬送ユニット１６の位置情報は蛍光表示パネル８２の紙幣搬送位置マップ上において（図１６） 表示でき、当該紙幣取込制御後における各紙幣保留ユニット１２で保留されている紙幣枚数も、島管理装置４が取得した各保留中継基板１４からの応答コマンドによって各紙幣保留ユニット１２のアドレスに対応して表示される。金庫部９０側に紙幣を取込ませた紙幣搬送ユニット１６は初期位置に復帰した後、再び他の紙幣保留ユニット１２に残された保留紙幣の取込動作を再開する。
【０２６９】
<搬送紙幣金庫内格納処理>
図２３に搬送紙幣金庫内格納処理のフローチャートを示す。この搬送紙幣金庫内格納処理は、紙幣搬送制御ユニット制御処理から呼び出されるサブルーチンである。そして、図２３に示すように、先ず、Ｓ４００でスタック満杯検出センサ１０３ａ（図１２参照）情報を取得し、Ｓ４０５へ移行する。
【０２７０】
Ｓ４０５では、Ｓ４００にて取得したスタック満杯検出センサ１０３ａ情報に基づき、正収納庫９１（図１２参照）は満状態であるか否かを判定する。そして、正収納庫９１が満杯でなければ（Ｓ４０５でＮｏの場合）、Ｓ４１０へ移行し、正収納庫９１が満杯であれば（Ｓ４０５でＹｅｓの場合）、Ｓ４７０へ移行する。
【０２７１】
Ｓ４１０では、ピックアップローラ９４(図１２参照）を作動させ、紙幣搬送ユニット１６から取込んだ紙幣の搬送を開始し、Ｓ４１５へ移行し、紙幣搬送ユニット１６の紙幣無センサ１００（図１２参照）の情報を取得し、Ｓ４２０へ移行する。
【０２７２】
Ｓ４２０では、Ｓ４１５にて取得した紙幣無センサ１００の情報に基づき、紙幣搬送ユニット１６に紙幣が残っているか否かを判定する。そして、紙幣搬送ユニット１６に紙幣が残っていなければ（Ｓ４２０でＹｅｓの場合）、Ｓ４５５へ移行し、紙幣搬送ユニット１６に紙幣が残っていれば（Ｓ４２０でＮｏの場合）、Ｓ４２５へ移行する。
【０２７３】
Ｓ４２５では、ワンウェイローラ９６を駆動し、続くＳ４３０で分離ローラ９５を駆動する。更に、続くＳ４３５において、送り完了センサの情報に基づき、紙幣枚数をカウントし、続く、Ｓ４４０でスタックモータ１０２を駆動し、更に続くＳ４４５で送り完了センサ９９ａの情報を取得し、Ｓ４５０へ移行する。
【０２７４】
Ｓ４５０では、Ｓ４４５にて取得した送り完了センサ９９ａの情報に基づき、紙幣送りが完了したか否かを判定する。そして、紙送りが完了して入れば（Ｓ４５０でＹｅｓの場合）、Ｓ４５５へ移行する。一方、紙幣送りが完了していなければ（Ｓ４５０でＮｏの場合）、Ｓ４２５に戻り、紙幣送りを続ける。
【０２７５】
Ｓ４５５では、各ローラ９４、９５、９６を停止させ、紙幣送りを完了する。そして、続くＳ４６０でスタックモータ１０２を逆転させて下部スタック板１０３を初期位置へ戻し、Ｓ４６５へ移行し、Ｓ４３５でカウントした紙幣枚数に基づき、紙幣金額を集計した後メインルーチンへ戻る。
【０２７６】
Ｓ４０５にて、正収納庫９１が満状態であるとして処理が移行したＳ４７０では、正収納庫９１が満状態である旨の表示を蛍光表示パネル８２に行った後、続くＳ４７５で副収納庫満センサ１０６ａ情報を取得し、Ｓ４８０へ移行する。
【０２７７】
Ｓ４８０では、Ｓ４７５にて取得した副収納庫満センサ１０６ａの情報を基に副収納庫９２が満状態であるか否かを判定する。そして、副収納庫９２が満状態でない場合（Ｓ４８０でＮｏの場合）はＳ４８５へ移行し、副収納庫９２が満状態の場合（Ｓ４８０でＹｅｓの場合）は、Ｓ５００へ移行する。
【０２７８】
そして、Ｓ４８５では、図示しない補助スタック板駆動モータを起動し、紙幣搬送ユニット１６内の紙幣を補助スタック板１０６で紙幣搬送ユニット１６から副収納庫９２へ押し出すようにして収納し、Ｓ４９０へ移行する。
【０２７９】
Ｓ４９０では、紙幣搬送ユニット１６を初期位置へ移動させ、Ｓ４９５へ移行し、補助スタック板１０６を初期位置へ戻し、本処理を終了してメインルーチンへ戻る。
Ｓ４８０で副収納庫９２が満状態であるとして移行したＳ５００では、蛍光表示パネル８２に副収納庫９２が満状態である旨を表示した後、Ｓ５０５へ移行し、紙幣投入装置２２へ紙幣投入禁止データを送信し、紙幣投入装置２２での紙幣投入を禁止して、続くＳ５１０で紙幣保留ユニット１２に紙幣取込禁止データを送信し、紙幣保留ユニット１２での紙幣取込みを禁止する。
【０２８０】
そして、続くＳ５１５で副収納庫満センサ１０６ａの情報を取得しＳ５２０へ移行する。
Ｓ５２０では、Ｓ５１５にて取得した副収納庫満センサ１０６ａの情報を基に副収納庫９２が満状態であるか否かを判定する。そして、副収納庫９２が満状態でない場合（Ｓ５２０でＮｏの場合）はＳ５２５へ移行し、副収納庫９２満状態の表示を消して、本処理を終了する。一方、副収納庫９２が満状態の場合（Ｓ５２０でＹｅｓの場合）は、Ｓ５１５へ戻り処理を繰り返す。このように、副収納庫９２が満状態であるか否かを繰り返すことにより、Ｓ５００で副収納庫９２が満状態となった旨を表示した後、副収納庫９２から紙幣が取除かれるまで待機するのである。
【０２８１】
なお、この場合の変形例を説明する。正収納庫９１に格納された紙幣の金庫管理者による回収が完了して、正収納庫９１における紙幣格納領域３４が再び形成された場合には、副収納庫９２で格納された紙幣を、図示しない返却板によって、補助スタック板１０６が待機する紙幣搬送ユニット１６が侵入してくる紙幣の取込み位置まで押動して返却する。
【０２８２】
紙幣の取込み位置まで返却された紙幣は、プレス板９３とピックアップローラ９４とで挟持される。副収納庫９２より返却された後プレス板９３とピックアップローラ９４とで把持された紙幣の束は、分離ローラ９５で一枚毎に分離された後、送り完了センサ９９ａにまで移送される。送り完了センサ９９ａに至る際もしくは送り完了センサ９９ａによる検出動作に伴って正収納庫９１に格納する紙幣枚数が計数される。送り完了センサ９９ａなどの紙幣枚数カウンタによる計数手段によるカウント処理がされた紙幣は正収納庫９１に格納される。
【０２８３】
<紙幣異常入金処理>
図２４に紙幣異常入金処理のフローチャートを示す。この紙幣異常入金処理は、島管理装置制御部８０の電源投入後、時間割り込みにより定期的に実行される処理であり、起動後先ず、Ｓ６００にて、紙幣投入装置２２から紙幣枚数データを取得した後、Ｓ６０５で紙幣保留ユニット１２から紙幣枚数データを取得する。その後、Ｓ６１０で島管理装置４で取除かれた紙幣枚数データを取得し、続くＳ６１５で紙幣枚数カウンタから紙幣枚数データを取得し、Ｓ６２０へ移行する。
【０２８４】
Ｓ６２０では、Ｓ６００〜Ｓ６１５にて取得した各紙幣枚数を比較し、異常がある場合にはＳ６３０へ移行して蛍光表示パネル８２に不正表示を行う。ここで、異常がある場合とは、例えば、紙幣投入装置２２から取得した紙幣枚数データと紙幣保留ユニット１２から取得した紙幣枚数データが不一致の場合、あるいは、紙幣保留ユニット１２から取得した紙幣枚数データから島管理装置４で取除かれた紙幣枚数データを引いた紙幣枚数と紙幣枚数カウンタから取得した紙幣枚数データとの間に不一致があるような場合のことをいう。
【０２８５】
即ち、島管理装置４の金庫部９０において正収納庫９１に格納される紙幣枚数は、紙幣投入装置２２に遊技者が遊技媒体の貸出を受ける為に投入した紙幣枚数よりは、当該紙幣投入装置２２において障害を生じて取除かれた紙幣枚数が減算され、紙幣保留ユニット１２において保留された紙幣枚数よりは、紙幣投入装置２２より紙幣保留ユニット１２に至る経路上と紙幣保留ユニット１２において障害の為に取除かれた紙幣枚数が減算され、紙幣搬送ユニット１６が島管理装置４の金庫部９０に搬送された紙幣枚数よりは、紙幣搬送ユニット１６による搬送途上において障害の為に取除かれた紙幣枚数が減算され、島管理装置４における正収納庫９１に格納された紙幣枚数よりは、当該島管理装置４の金庫部９０内での移送途上において障害の為に取除かれた紙幣枚数が減算される。
【０２８６】
従って、紙幣投入装置２２に投入された紙幣枚数より、紙幣保留ユニット１２や紙幣搬送ユニット１６を含む紙幣搬送手段や紙幣搬送経路１８上で障害の為に取除かれた紙幣枚数が減算された紙幣枚数データが、島管理装置４における正収納庫９１に格納された紙幣枚数データと一致する場合には、不正等が無いものと判定される。
【０２８７】
以上、障害のために取除かれた紙幣枚数データを、既述したように、島管理装置４の島管理装置表示操作パネル８１で集計画面を選択した後、島管理装置表示操作パネル８１で表される数字キー８２ａより取除き紙幣枚数データとして入力し補正する。
【０２８８】
これにより、島管理装置４の金庫部９０において計数され格納された紙幣枚数に、補正値となる抜取り紙幣枚数を加算した紙幣格納枚数データが、紙幣投入装置２２に投入された紙幣枚数として紙幣投入装置２２より島管理装置４が受信した紙幣枚数データとの照合演算が、島管理装置４の島管理装置制御部８０で実行される。島管理装置制御部８０における照合演算の結果が一致しない場合には不正の判定がされる。
【０２８９】
以上のような島管理装置４は、金庫における紙幣格納手段（プレス板９３、ピックアップローラ９４、分離ローラ９５、正収納庫９１、副収納庫９２）による紙幣の格納動作が、紙幣搬送ユニット１６が移動中でなく、かつ、金庫に設けられた扉開放センサ８１ａが金庫扉の開放が無いことを検出した場合などに限って許容する紙幣格納規制制御手段を有する。従って、不完全な金庫への紙幣格納処理がなされることがなく、併せて不正に紙幣が抜き取られることを防止できる。
【０２９０】
また、島管理装置４は、多数個列設された紙幣保留ユニット１２における一の紙幣保留ユニット１２で保留した紙幣枚数の合計が２０枚に達した場合に、紙幣搬送ユニット１６を紙幣の回収可能に起動する紙幣搬送ユニット起動手段を有する。従って、容量を越えた紙幣が搬送されようとして紙幣搬送ユニット１６が搬送障害を起こし故障することを防止するできるとともに搬送される紙幣枚数の掌握を一定単位数（紙幣搬送ユニット１６に保留できる最大紙幣枚数）に基づいて効率的に行なえる。
【０２９１】
一方、紙幣保留ユニット１２において保留できる紙幣枚数の２０枚に達すると紙幣投入装置２２側から紙幣保留ユニット１２への搬送が一時停止され、保留紙幣が２０枚に満たないことを紙幣保留ユニット１２に設けられた入口センサ３１等の紙幣枚数計数手段が判定すると紙幣保留ユニット１２における紙幣の保留動作は再開される。
【０２９２】
また、島管理装置４は、少なくとも、遊技場島２に列設された多数個の紙幣保留ユニット１２における紙幣の合計保留枚数が所定値に達した場合に紙幣搬送ユニット１６を紙幣の回収可能に（紙幣搬送駆動モータを）起動する紙幣搬送ユニット起動手段を有する。従って、容量を越えた紙幣が紙幣保留ユニット１２から紙幣搬送ユニット１６に転送されることによる紙幣保留ユニット１２からの取込み障害や紙幣搬送ユニット１６による搬送障害やユニット故障を防止できるとともに取込み搬送される紙幣枚数の掌握が効率的に行うことができる。
【０２９３】
即ち、紙幣搬送ユニット１６が搭載する紙幣枚数が３０枚となることを、島全体の各紙幣保留ユニット１２に設けられた入口センサ３１などの各紙幣枚数計数手段から、島管理装置４の島管理装置制御部８０からの問合わせコマンドに応じて島管理装置４の島管理装置制御部８０が取得した応答コマンドに含まれる各紙幣保留ユニット１２の紙幣枚数の島左一列側全体での紙幣枚数の合計値の演算結果によって、島管理装置４の島管理装置制御部８０が判定すると、紙幣搬送ユニット１６は当該島の左一列側に列設された紙幣保留ユニット１２よりの紙幣取込動作を停止する。
【０２９４】
この場合、島内の他方の列である右側に配列された各紙幣保留ユニット１２で保留している紙幣枚数が、島列全体合計で３０枚に至らず、右側各紙幣保留ユニット１２其々における紙幣枚数も２０枚を満たすもので無ければ、右側に配列された各紙幣保留ユニット１２からの紙幣搬送ユニット１６による紙幣取込動作は禁止されない。
【０２９５】
紙幣搬送ユニット１６による紙幣保留ユニット１２からの紙幣取込を禁止する構成としては、紙幣保留ユニット１２に設ける紙幣繰出し手段の動作を停止し、あるいは、紙幣搬送ユニット１６に設ける紙幣取込手段の動作を島列の左右列の別に対応し停止する構成とすることによりも行える。
【０２９６】
以上の実施形態においては、紙幣搬送ユニット１６による紙幣の回収動作は起動された状態にあって、前記紙幣取込手段若しくは紙幣繰出し手段のみが停止制御される構成となっている。
【０２９７】
また、島管理装置４は、遊技場島２に列設された多数個の紙幣保留ユニット１２における合計紙幣保留枚数、若しくは一の紙幣保留ユニット１２における紙幣保留枚数が、紙幣搬送ユニット１６が搬送できる限界紙幣枚数に達した場合に（達する以前に）紙幣搬送ユニット１６を紙幣の回収可能に（紙幣搬送駆動モータを）起動する紙幣搬送ユニット起動手段を有する実施形態にあっては、不必要に紙幣搬送ユニット１６を駆動して電力浪費をすることのない紙幣搬送ユニット１６とすることができるとともに当該遊技場島２全体の紙幣を統括した状態で紙幣の搬送制御がされるので、紙幣搬送毎に極めてバランスの異なる非効率的な紙幣搬送が実行されることを防止することができる。
【０２９８】
また、島管理装置４は、遊技場島２に列設された多数個の紙幣保留ユニット１２における各紙幣保留ユニット１２から取込む全紙幣の合計保留枚数、若しくは多数個の紙幣保留ユニット１２における何れかの紙幣保留ユニット１２における紙幣保留枚数が所定値に達した場合、若しくは紙幣搬送ユニット１６が紙幣を収容して搬送できる紙幣の許容枚数に達した場合（例えば、紙幣搬送ユニット１６における片面の収容領域に積載された紙幣枚数が３０枚となった場合）の何れかの場合において、紙幣を積載した紙幣搬送ユニット１６を島管理装置４側の金庫に向けて回収させるように起動する紙幣搬送ユニット起動手段を有する。
【０２９９】
従って、紙幣保留ユニット１２と紙幣搬送ユニット１６との何れかの容量を越えた紙幣が紙幣保留ユニット１２から紙幣搬送ユニット１６に転送されまた紙幣搬送ユニット１６により搬送されることによる障害や、紙幣保留ユニット１２と紙幣搬送ユニット１６とにおいて積載量を超えた紙幣が搬送されることによって生じる故障の発生を防止することができる。
【０３００】
また、島管理装置４は、先に実行した紙幣搬送ユニット１６による金庫への紙幣収容動作から所定の時間が経過したと判定された場合において、紙幣搬送ユニット１６を紙幣保留ユニット１２に格納した紙幣を収容して遊技場島２内の金庫に向けて移動可能に起動する紙幣搬送ユニット起動手段を有する場合には、正副収納庫９１，９２内における紙幣の集積が完了せず更に紙幣が正副収納庫９１，９２に収容されてしまうことによる正副収納庫９１，９２の機能障害を防止するとともに紙幣保留ユニット１２における紙幣の保留に未だ余裕ある場合に非経済な紙幣搬送が行われる不合理が解消できる。
【０３０１】
＜バックアップ＞
また、島管理装置４は、電源遮断時に紙幣保留ユニット１２に格納された保留紙幣枚数を島管理装置４に設けられたバックアップ記憶手段に他のログデータとともに記憶する一方、電源の再投入時において、紙幣保留ユニット１２に設けられたセンサによる紙幣の検出がない時は、バックアップ記憶手段に記憶された保留紙幣枚数に係るバックアップデータを破棄するバックアップデータ制御手段を有する。
【０３０２】
従って、異常な電源断により紙幣保留ユニット１２で保留している保留枚数データに相違が生じて、実際の搬送枚数と異なる紙幣の搬送データが島管理装置４に格納されることによる誤入金処理がなされる不具合を解消するとともに、異常な紙幣保留ユニット１２からの紙幣抜き取り操作にも対処できる健全な紙幣枚数に係る収支管理が実現できる。
【０３０３】
また、島管理装置４を含む紙幣搬送装置の電源が異常の発生により遮断された場合に、この停電などの電源異常時に紙幣保留ユニット１２において保留している紙幣が、正規に遊技場の管理者により手操作により回収された場合には、バックアップした当該紙幣保留ユニット１２における紙幣枚数データは、紙幣搬送装置によって回収する紙幣枚数データと一致しなくなることを当該制御によって補正することもできる。
【０３０４】
これら、紙幣搬送装置を含む有価媒体搬送装置の稼動データは、再起動時においても同様に、紙幣などの有価媒体の搬送や格納制御に応じて常時更新される各センサの検出データ、搬送手段の位置データ、モータ等の駆動手段に係わる制御データ、紙幣などの有価媒体の貸出に関して演算される紙幣枚数などの有価媒体数や入金データ、パチンコ球やメダル等についての個数データ等を含み更新される。
【０３０５】
さらに、島管理装置４より取出し可能にされる補助記憶部材に稼動データを記憶するバックアップ手段に格納されたバックアップデータが、有価媒体搬送装置の再起動時に各センサの検出データ、搬送手段の位置データ、モータ等の駆動手段に係わる制御データ、有価媒体の貸出に関して演算される紙幣枚数や入金データ、パチンコ球やメダル等についての個数データなどが変更されている場合には、更新されて有価媒体搬送装置が復旧される。  遊技場の島に、一例として掲げた紙幣保留ユニット１２などの紙幣搬送ユニット１６が、多数分散して配置される有価媒体搬送装置についての制御データに変更が生じていても、紙幣搬送ユニット１６等の各手段や装置より情報を収集して修正入力操作などしてバックアップデータ更新する必要はなく、迅速かつ的確に遊技媒体搬送装置の復旧が行える。
【０３０６】
特に、本実施形態に記載した発明の構成においては、遊技媒体搬送装置のバックアップデータがリストアされる復旧時において、各手段や装置で形成されるデータに、バックアップ時と復旧再起動時において変更が生じている場合には、生じた変更を検知してバックアップデータを更新して復旧させるバックアップデータ更新手段を有する構成であるので、バックアップ及びリストアに際して異常な復旧制御が行われることを防止する。
【０３０７】
即ち、既述の実施形態においては、電源遮断にともなって行われたバックアップデータより、紙幣搬送装置についての電源再投入前に、紙幣搬送経路１８上の紙幣保留ユニット１２より取除かれた保留紙幣に関する紙幣データが、消去されてバックアップデータとして復旧時に使用される構成となっているので、インティグリティある紙幣搬送装置についての復帰回復制御を実現することができる。
【０３０８】
更に詳説すれば、島管理装置４を含む紙幣搬送装置の電源が異常の発生により遮断された場合に、この停電などの電源異常時に紙幣保留ユニット１２において保留している紙幣が、正規に遊技場の管理者により手操作により回収された場合には、バックアップした当該紙幣保留ユニット１２における紙幣枚数データは、紙幣搬送装置によって回収する紙幣枚数データと一致しなくなることを紙幣搬送バックアップデータ保持手段と紙幣搬送バックアップデータ更新手段とにより構成されるバックアップデータ制御手段による当該制御によって補正することができる。
【０３０９】
これら、紙幣搬送装置の稼動データは、再起動時において、紙幣の搬送や格納制御に応じて常時更新される各センサの検出データ、紙幣搬送手段の位置データ、ＤＣモータ３２等の駆動手段に係わる制御データ、パチンコ球やメダルの貸出に関して演算される紙幣枚数など入金データ、パチンコ球やメダル等についての個数データ等を含み当該紙幣搬送装置の稼動時と同様に更新される。
【０３１０】
島管理装置４より脱着可能にされた補助記憶部材に、前記稼動データが転送されバックアップデータとして記憶され、更に紙幣搬送装置の再起動時に、記憶されたデータが変更されたものとなっている場合には、データが更新されて紙幣搬送装置が復旧される。
【０３１１】
即ち、電源の遮断にともなって行われたバックアップ制御のバックアップデータは、紙幣搬送装置についての電源再投入前において、紙幣搬送経路１８上の紙幣保留ユニット１２において紙幣詰りの為に紙幣有り、紙幣詰り信号を島管理装置４の島管理装置制御部が受信して記録した紙幣有りデータは、紙幣保留ユニット１２から詰まった紙幣が取除かれると紙幣保留センサ６２の紙幣有り信号は紙幣無し信号に切換わって島管理装置制御部に送信され、紙幣搬送装置の電源再投入とともに紙幣無しデータを取込んで紙幣搬送装置は復旧される。
【０３１２】
紙幣搬送制御が、異常の発生や遊技場の閉店その他の原因により電源断などにより停止された場合であって、紙幣の搬送制御と、遊技媒体の貸出に伴って発生する紙幣枚数やメダル若しくはパチンコ球の貸出数など入金データを含んだ紙幣搬送装置に係わるバックアップデータについて、停止時と復旧起動時とにおいて変更が生じていると、バックアップしたデータを復旧起動時に更新しバックアップデータとして紙幣搬送装置の制御と管理に使用する構成となっているので、インティグリティある紙幣搬送装置についての復帰回復制御を実現することができる。
【０３１３】
なお、紙幣搬送装置がバックアップするデータは、紙幣投入装置２２と紙幣保留ユニット１２と島管理装置４の金庫部９０のそれぞれに設けられる各センサ、例えば、搬送ユニット通過センサ６１、反転センサ６０、扉開放検出センサ６４、保留ユニット離脱検出センサ６３、プレス位置検出センサ９３ａ、スタック位置センサ１０３ｂ、扉開放センサ８１ａなどから取得したデータと、ＤＣモータ３２、スタックモータ１０２など駆動手段の動作データと、島管理装置制御部８０の演算手段により得られた紙幣投入装置２２若しくは紙幣保留ユニット１２更には金庫部９０のそれぞれにおいて取得された紙幣枚数データや貸出したパチンコ球やメダル等の遊技媒体数データに換算できる入金データ、さらに前記各センサの検出信号に基づき島管理装置制御部８０で判定される故障や不正などの異常データが含まれる。
【０３１４】
また、紙幣搬送装置がバックアップするデータは、一定時間毎にサンプリングされたデータ、及び本日中における累計データ、あるいは、電源遮断時等による紙幣搬送装置の停止の都度、紙幣搬送装置の停止の時点で島管理装置制御部８０の記憶部に格納されたデータが含まれる。
【０３１５】
紙幣搬送装置でバックアップするデータの紙幣格納領域３４は、脱着可能な補助記憶手段に設けることの他、島管理装置制御部８０に設けられる記憶部にバックアップ用の記憶エリアを設けるものとしてもよく、また、記憶エリアを複数設けダブルビン方式でバックアップデータを更新するものとしてもよい。
【０３１６】
既述の実施形態に記載した、図１９、図２０、図２１に例示したビットデータを、バックアップ用の記憶エリアに時間の経過ともに順次更新記憶し、停止時にストアされているバックアップデータのリストアに際し、復旧起動時に変更されているデータの部分があれば、この部分のデータをＵＰＤＡＴＥして復旧起動する。
【０３１７】
バックアップデータが更新される一例を更に詳細に説明すれば、既述したそれぞれに設けられた各センサ信号がＯＮ状態からＯＦＦ状態に切換わっている場合は、切換わった後のＯＦＦ信号に基づくデータにより当該紙幣搬送装置は復旧される。例えば、紙幣搬送装置の何れの箇所かにおいて紙幣詰りを起こした状態においてその紙幣が取除かれている場合には、紙幣が取除かれた状態での復旧制御が開始される。
【０３１８】
また、例えば他の実施態様においては島管理装置４の金庫部９０に格納した紙幣枚数を記述した操作手段により補正入力した後、紙幣搬送装置の全体を復旧起動する例にあっては、金庫部９０において格納した真正な紙幣枚数に基づいて当該紙幣搬送装置全体（紙幣保留ユニット１２、紙幣搬送ユニット１６、金庫部９０を含む管理装置等の全体）の復旧起動が行われる。
【０３１９】
また、島管理装置４は、遊技媒体貸出装置１０を含む遊技場の紙幣投入装置２２における紙幣収容部に収容した紙幣の傾き若しくは位置ずれを、移送障害を生じない所定の範囲内にあっては許容して、紙幣の格納処理を実行する格納紙幣収容補助手段（傾き許容範囲や紙幣の位置ずれを許容して搬送を続行する。）を有する。従って、紙幣を緻密に紙幣の収容部に一致して格納する為の工程を省くことにより迅速で円滑な紙幣の収納管理が実現できる。
【０３２０】
即ち、精密な判定がなされることによって頻繁に紙幣の搬送制御が中断されたり、僅かなノイズ信号を受けて、正常な動作を誤動作として紙幣搬送制御してしまう不具合を解消する。
【０３２１】
また、島管理装置４は、遊技媒体貸出装置１０を含む遊技場の紙幣投入装置２２における紙幣の紙幣収容部に収容した紙幣について、紙幣の収容部で占有する領域が所定の範囲を超えると判定される場合には、紙幣の搬送若しくは格納処理を禁止するとともに紙幣異常を表示する紙幣搬送異常時制御手段を有する。従って、（破れ、破損、折れ曲がり）異常な紙幣や整列されていない紙幣を搬送し、あるいは、格納することによって紙幣詰りや格納部の故障が発生し、又は紙幣に損傷が生じることを防止することができる。
【０３２２】
また、島管理装置４は、遊技媒体貸出装置１０を含む遊技場の紙幣搬送ユニット１６における紙幣の紙幣収容部に収容した紙幣について、固定された横幅と、一定の許容範囲を有する縦幅とで囲まれる範囲内において、紙幣が収容されていると判定される場合には、紙幣の格納処理を続行させ、範囲外と判定される場合には紙幣を取込み対象外とする紙幣移動制御手段を有する。従って、紙幣を緻密に紙幣の収容部に一致して格納する為の工程を省くことにより迅速で円滑な紙幣の収納管理が実現し、異常な紙幣や整列されていない紙幣を搬送し、あるいは、格納することによって紙幣保留ユニット１２や紙幣搬送ユニット１６を含む紙幣搬送経路１８上において紙幣詰りを生じ、島管理装置４に設けられる金庫部９０の格納部の故障が発生し、又は紙幣に損傷が生じることを防止することができる。
【０３２３】
また、島管理装置４は、遊技場島２に列設された多数の紙幣保留ユニット１２に対する紙幣搬送ユニット１６の通過位置若しくは停止位置ならびに該当する紙幣保留ユニット１２における異常動作を含む動作状態を島管理装置４の蛍光表示パネル８２で紙幣保留ユニット１２の配列とともに図表化して表示するとともに、異常の内容をコードした記号とともにモニタリング表示する紙幣搬送状態モニタリング表示手段を有する。
【０３２４】
従って、遊技場島２における紙幣の搬送状態が島管理装置４において一括して各紙幣保留ユニット１２に対応して的確に把握できるとともに、紙幣保留ユニット１２の停止箇所と経時的な移動動作が明快な図表と記号とにより島管理装置４の限られた表示領域において確認できる。
【０３２５】
また、島管理装置４は、複数の紙幣投入装置２２（紙幣投入ユニット２４、紙幣保留ユニット１２、保留中継基板１４）において発生した異常を保留中継基板１４に設けられた複数のＬＥＤよりなる表示手段より個別に表示するとともに、島管理装置４の表示領域において蛍光表示パネル８２のエラー表示画面においてエラーコードにより前記紙幣投入装置２２側とに同期して異常の発生を個別に表示する紙幣搬送異常マルチ表示手段を有する。
【０３２６】
従って、遊技場島２の何れかの箇所で発生した紙幣搬送に係る異常と、紙幣搬送に関する異常の内容とをコードにより各紙幣保留ユニット１２に対応して的確に把握させることができるとともに、島管理装置４の限られた表示領域において各紙幣保留ユニット１２の夫々で発生した異常を明確に識別して確認することができる。
【０３２７】
また、島管理装置４は、保留紙幣満杯異常に到達する前段階における各紙幣保留ユニット１２での紙幣保留枚数を蛍光表示パネル８２でレベル表示（紙幣枚数値データをグラフ化して変換し図表にて紙幣搬送動作を表示）する。
【０３２８】
従って、遊技場島２に設置された各紙幣保留ユニット１２における紙幣の保留状態即ち紙幣枚数が、満杯状態に至る以前において紙幣が蓄積されていくに従って順次レベル（グラフ）表示する構成とする場合には、現在時刻での当該紙幣保留ユニット１２における積載枚数が容易に識別できる。各紙幣保留ユニット１２毎の積載枚数を対比することも可能となる。
【０３２９】
また、島管理装置４は、紙幣搬送ユニット１６において生じた紙幣詰りを遊技媒体貸出装置１０（紙幣投入装置２２、紙幣保留ユニット１２）側と島管理装置４側とにおいて、遊技場島２に列設された多数の紙幣保留ユニット１２の内特定の紙幣保留ユニット１２単体別に区別して表示する紙幣詰り識別表示手段を有する。
【０３３０】
従って、遊技場島２の何れかの箇所で発生した紙幣詰りが当該紙幣詰りの発生箇所と島管理装置４においてともに個別に視覚により確認できることとなるので、当該紙幣詰りに対する対応処理が迅速に行え、紙幣搬送ユニット１６の障害を早期に復旧させることが可能となる。
【０３３１】
また、島管理装置４は、紙幣搬送ユニット１６への取込み済紙幣の抜き取り操作を扉開放センサと紙幣保留センサ６２とによる複数の検出動作の組み合わせを条件として判定して表示する紙幣抜き取り表示手段を有する。
【０３３２】
従って、紙幣が保留されていることを判別できる紙幣保留ユニット１２に設けられた複数のセンサが供に紙幣の喪失を判定した場合にのみ紙幣の紙幣保留ユニット１２から紙幣の抜き取りを表示するので、紙幣抜き取りを錯誤して報知することを防止することができる。
【０３３３】
また、島管理装置４は、蛍光表示パネル８２において、紙幣投入装置２２側（紙幣保留ユニット１２、紙幣搬送ユニット１６、保留中継基板１４）の異常を含む動作状況と、島管理装置側４（正副収納庫９１，９２）の異常を含む動作状況とを併行表示するマルチ表示制御手段を有する（所定のサイクルで紙幣投入装置２２側情報と正副収納庫９１，９２側情報とに切り換え表示する構成としてもよい）。
【０３３４】
従って、紙幣投入装置２２側（紙幣保留ユニット１２、紙幣搬送ユニット１６、保留中継基板１４）において発生した異常が当該異常の発生箇所に対応した遊技場島２の紙幣投入装置２２側の該当箇所において表示されるとともに島管理装置４において当該異常の発生箇所が区別されて表示されるので、異常に対する復旧処置が的確にしかも迅速に行なえる。
【０３３５】
また同時に紙幣の格納された金庫部９０を有する島管理装置４に関する異常情報を、紙幣保留ユニット１２などの紙幣投入装置２２側の異常情報に関連付けて取得し確認することが可能となる。
【０３３６】
また、島管理装置４は紙幣投入装置２２側の保留中継基板１４に搬送状況指令及び問い合わせ信号を送信する一方、各紙幣投入装置２２側の保留中継基板１４からは問い合わせ信号に応答して各紙幣投入装置２２側で生じた個別の紙幣搬送データ（モータ駆動データ、各センサ検出データ、紙幣詰り判定データ、紙幣抜き取りデータ、入金データ、遊技媒体貸出しデータ、扉開放判定データ、紙幣搬送ユニット位置データなど）を島管理装置４に返信して紙幣投入装置２２側における紙幣搬送動作を島管理装置４の島管理装置制御部８０で逐一掌握し、後続の搬送動作の実行を行う紙幣搬送処理タイミング制御手段を有する。
【０３３７】
従って、島管理装置４からの問合わせ及び指令信号に応じて、保留中継基板１４に接続される紙幣保留ユニット１２の駆動手段が起動され、紙幣保留ユニット１２の動作状況を示すセンサ信号が返信されるので、遊技場島２に多数列設された紙幣保留ユニット１２の限られた信号系統において信号衝突や信号喪失に起因する錯誤のない正確な紙幣搬送制御が実現できる。
【０３３８】
また、島管理装置４は、島管理装置４内の正副収納庫９１，９２における紙幣の搬送格納動作がセンサにより検出され判定された場合においては、（紙幣搬送ユニット１６の扉を含む）島管理装置４の紙幣取出し等のために設けられた扉の開放を禁止するストッパ励磁手段により金庫扉開放禁止手段を有する。
【０３３９】
従って、紙幣の正副収納庫９１，９２への格納処理中に扉が開放されて紙幣が不用意に金庫より落下し、また紙幣の格納処理に障害が生じ、島管理装置４に故障が発生することが防止できる。
【０３４０】
また、島管理装置４は、紙幣投入装置２２側の保留中継基板１４に搬送状況問い合わせ信号を送信する一方、各紙幣投入装置２２側の保留中継基板１４からは問い合わせ信号に応答して各紙幣投入装置２２側で生じた個別の紙幣搬送データ（モータ駆動データ、各センサ検出データ、紙幣詰り判定データ、紙幣抜き取りデータ、入金データ、遊技媒体貸出しデータ、扉開放判定データ、紙幣搬送ユニット位置データなど）を島管理装置４に返信して紙幣搬送処理を逐一実行する紙幣搬送処理シリアル通信制御手段を有するとともに、異常の発生した紙幣投入装置２２と紙幣保留ユニット１２とを含む紙幣投入装置２２側装置を特定する異常端末識別管理手段を有する。従って、紙幣の搬送制御に関して球貸し機若しくはメダル貸し機などの紙幣投入装置２２と紙幣保留ユニット１２とに接続される保留中継基板１４で中継処理した信号を島管理装置４との間において順次送受信することができ、パチンコ遊技機やスロットマシンなどの複数種類の多機種の遊技機８からの当たりや大当たり信号、入賞や当たりの発生に伴うパチンコ球やメダルの払出し信号系統と当該保留中継基板１４を中心とした紙幣の搬送制御データや貸出に伴う入金データに関する信号系統とが独立して遊技場島２に形成されるので、信号が更新して異常動作を生じることのない安全な紙幣搬送制御を司る通信手段を遊技場島２に確保することができる。
【０３４１】
併せて、遊技機８における入賞や賞の払出しに係る信号系統とは分離して遊技場島２に配設することができるものであるので、当該紙幣投入装置２２側装置の紙幣搬送装置と金庫部９０を含む島管理装置４との通信接続を、紙幣投入装置２２を含むことのある遊技機８と島管理装置４若しくは遊技場管理装置６間における信号や電源配線に影響されることなく構築することができる。
【０３４２】
また、島管理装置４においては、島管理装置４の金庫内に紙幣搬送ユニット１６が進入、下方を紙幣搬送ユニット１６の支持枠により係支された紙幣束の上端部をプレス板９３が把持する、紙幣搬送ユニット１６が金庫より脱出、プレス板９３はピックアップローラ９４とともに紙幣束を把持する、ピックアップローラ９４が回転を開始し、ピックアップローラ９４外周の摩擦面が積層された紙幣の内、表層の紙幣を係動する、間欠的に動作するピックアップローラ９４の摩擦面により引き抜かれた表層一枚目の紙幣が次段で待機するワンウェイローラ９６と分離ローラ９５とによって挟持される、ワンウェイローラ９６の接線とほぼ平行な線上おいて紙幣と接触して回転駆動される分離ローラ９５の回転動作によって積層された紙幣の内の一枚が取出され、取出された紙幣は一対の回転ローラによって挟持されつつ正収納庫９１に誘導される。
【０３４３】
この間、金庫部９０内に短辺側を立てて紙幣搬送ユニット１６に係支され侵入した紙幣は、縦方向に上昇した後、９０度旋回されて前記短辺側を水平に倒して、正収納庫９１内に格納されるが、紙幣搬送ユニット１６の先端に位置する短辺側は、島管理装置４の金庫部９０に覆設され開閉される扉の開放側面に一致して、対向する状態で前記各ローラにより搬送移動された後正収納庫９１内に格納される。
【０３４４】
従って、金庫扉を開放することにより搬送され格納される紙幣の短辺側が、金庫管理者により操作可能にされ、挟持して金庫部９０より取除き可能とされている。
また、島管理装置４において、紙幣搬送駆動モータ５５により駆動される回転ローラにより正収納庫内に進入した紙幣は上層パネルと底板（下部スタック板１０３）間に形成された間隙に収容される。
【０３４５】
下部スタック板１０３上に載置された紙幣は、モータの回転動作が昇降動作に変換されて付勢部材の押圧作用に抗して下降する。前記下部スタック板１０３とともに下降した紙幣の上方位置には新たな紙幣導入用の空間が形成される。
【０３４６】
下部スタック板１０３は、モータの逆回転動作によって格納済み紙幣を底板側に残して初期の待機位置まで上昇する。
また、後回転ローラの回転動作によって新たな紙幣が正収納庫内に進入し、順次先に進入して載置された紙幣の上に新たな紙幣を積層し、正収納庫９１内に格納した紙幣の上端面が、紙幣格納動作の繰り返しによって上昇して、正収納庫９１内に設けられたスタック満杯検出センサ１０３ａにより検出されると、正収納庫９１内紙幣満杯信号が島管理装置４の島管理装置制御部８０に出力される。
【０３４７】
正収納庫９１のスタック満杯検出センサ１０３ａによって紙幣満杯信号が出力された場合には、前記ピックアップローラ９４とプレス板９３とによる紙幣取込動作は停止されて待機状態に変換される。
【０３４８】
また、島管理装置４においては、紙幣搬送ユニット１６で保持された紙幣が、プレス板９３により複数枚の紙幣が一括して把持された後において紙幣の下方端部を係支していた紙幣搬送ユニット１６が離脱すると、紙幣は補助スタック板１０６上に載置される。
【０３４９】
Ｌ状の補助スタック板１０６は回転動作を水平動作に変換するカムモータの駆動力を受けて摺動されるとともに、プレス板９３による紙幣把持作用が解除され、プレス板９３は、９０度旋回して回動した待機位置に移動する。摺動される補助スタック板１０６は初期位置に向かって摺動し、格納された紙幣は図示しない紙幣把持片により押圧されて待機する。そして補助スタック板１０６が副収納庫９２内に接近してくると、紙幣把持片は一旦副収納庫９２内より離脱する。
【０３５０】
この後紙幣が紙幣把持片を越えた位置にまで補助スタック板１０６により押動されてくると、前記の如く再び紙幣保持板が副収納庫９２内に進出する。次に、補助スタック板１０６は駆動モータの逆回転動作に応じて初期の待機位置に向かって摺動し、格納する紙幣を挟持する。
【０３５１】
従って、正収納庫９１で紙幣満杯が発生した場合には、副収納庫９２において正収納庫９１から溢れる紙幣を格納することができる。金庫部９０内紙幣についての紙幣満杯表示が既述した島管理装置表示操作パネル８１、蛍光表示パネル８２で表示されても、暫くは、紙幣の金庫部９０内への搬送制御を続行することができ、遊技場の管理者は遊技者の遊技媒体貸出要求に余裕をもって対応することができる。
【０３５２】
また、島管理装置４は、金庫内においてスタック満杯検出センサ１０３ａにより紙幣満タンが判定された場合、若しくは送り完了センサ９９ａにより紙幣の検出状態が島管理装置４の島管理装置制御部８０に設けられたタイマにより所定時間以上継続して検出された場合には、紙幣か正収納庫９１に至る経路上で停止し紙幣詰りと判定された場合、若しくは島管理装置４に設けられた扉の開放が扉開放検出センサ６４により検出された場合には、紙幣投入装置２２（遊技媒体貸出装置１０）に、島管理装置４の島管理装置制御部８０より問合わせコマンドのビットデータ群に含ませた紙幣投入禁止信号（貸出禁止信号）を遊技場島２に列設された保留中継基板１４を介して全ての紙幣投入装置２２側装置に出力して、全ての紙幣投入装置２２における紙幣取込制御を禁止する。
【０３５３】
一方、島管理装置４においては検出された紙幣満杯と紙幣詰りと扉の開放とを識別してエラーコードにより、蛍光表示パネル８２に異常表示する表示パネル有する島紙幣管理手段を有する。従って、金庫を有する島管理装置４において異常が発生した場合には、紙幣投入装置２２への紙幣投入が禁止され、保留中継基板１４を介して紙幣保留ユニット１２より紙幣搬送ユニット１６への紙幣の繰出し作用が停止される。また、島管理装置４の島管理装置制御部８０は紙幣搬送ユニット１６を搬送移動させる駆動モータを停止して、島管理装置４の金庫部９０に向かう紙幣搬送ユニット１６の回収動作を停止されるので、新たな紙幣搬送より紙幣搬送ユニット１６や島管理装置４において紙幣詰りや故障等の障害の拡大を防止して、紙幣満杯にともなって発生する障害を極小化することができる。
【０３５４】
また、金庫内で生じた異常の種別が明確なコードにより分別されて報知されるので、各異常の種別に応じた的確な処置を金庫を有する島管理装置４に対し行うことが可能となる。
【０３５５】
また、島管理装置４は、遊技場閉店（操作）信号に基いて、紙幣搬送ユニット１６が起動され、紙幣保留ユニット１２と紙幣投入装置２２（遊技媒体貸出装置１０）とで保留さ
れた全ての紙幣を、島管理装置４の金庫部９０に向けて搬送した後、該金庫部９０に収容する有価媒体搬送制御維持手段の一実施形態となる閉店時紙幣格納制御手段が設けられている。
【０３５６】
従って、紙幣搬送ユニット１６に紙幣が残置されたまま遊技場が閉じられる場合には遊技媒体についての正確な貸出し集計管理が実現できない。また閉店時に紙幣が紙幣搬送ユニット１６に残置されると不正な紙幣抜き取り行為を誘発することとなる。そこで、閉店操作信号に基づいて紙幣投入装置２２、紙幣保留ユニット１２、紙幣搬送ユニット１６などの紙幣搬送経１８路上にある紙幣が島管理装置４の金庫に回収され格納されることにより正確な集計管理が実現できるともに不正行為の発生を防止することができる。
【０３５７】
なお、紙幣投入装置２２から紙幣保留ユニット１２に至る紙幣の搬送経路上おいて停留している紙幣は、紙幣投入装置２２に設けられたセンサと、紙幣保留ユニット１２に設けられた入口センサ３１、紙幣取込センサ３９、紙幣保留センサ６２によって紙幣の有無が検出され、残留紙幣の有りが検出された場合には、当該センサに対応して該当する箇所となる位置に配置された駆動モータ、ＤＣモータ３２が回転駆動される。ＤＣモータ３２の回転動作に伴って、紙幣搬送ユニット１６に繰出され、紙幣保留ユニット１２より繰出された紙幣は搬送ユニットによって金庫部９０に向かって回収動作され搬送される。
【０３５８】
駆動モータ、ＤＣモータ３２における回転動作の継続とともに、島管理装置４の島管理装置制御部８０は、紙幣搬送ユニット１６を駆動する搬送ユニット駆動モータの回転動作を継続して、紙幣搬送経路１８上に残る紙幣の回収制御を続行する。
【０３５９】
紙幣投入装置２２より紙幣保留ユニット１２を経由して紙幣搬送ユニット１６に至る紙幣の搬送経路上で残留する紙幣の回収制御が実行された後、紙幣有りを検出した前記何れのセンサにおいても紙幣有りが検出されなくなった場合において紙幣搬送ユニット１６に搭載された最後の残留紙幣が金庫部９０内に搬入されると紙幣の回収制御は終了する。
【０３６０】
なお、紙幣投入装置２２内において紙幣が抜取り不能に保全できる場合などには、紙幣投入装置２２を除いた紙幣保留ユニット１２を含む紙幣の搬送経路上で残留する紙幣のみを回収制御する構成としてもよい。
【０３６１】
また、紙幣保留ユニット１２で保留して待機する紙幣、あるいは、紙幣搬送ユニット１６上に搭載される紙幣を抜き取り不能に保全する保全手段（ロック機構）を設ける構成とする場合には、紙幣保留ユニット１２で保全され若しくは紙幣搬送ユニット１６で保全可能にされる紙幣を除いた紙幣搬送経路１８上で残留する紙幣のみを回収制御する構成としてもよい。
【０３６２】
この場合、閉店時における電源遮断による紙幣搬送装置の停止以外の異常発生時などに停止操作して当該島において保留されている紙幣を回収搬送する場合にあっても、各センサによる紙幣有り無し検出と、紙幣保留ユニット１２及び紙幣搬送ユニット１６による回収制御によって同様に紙幣の回収制御は実行できる。
【０３６３】
勿論、この場合にも、紙幣投入装置２２で保留されている紙幣をも含めて島管理装置４の金庫部９０に回収することも、紙幣投入装置２２における紙幣有無検出と紙幣搬送機能とを紙幣保留ユニット１２や紙幣搬送ユニット１６における紙幣回収機能とともに組合わせ、保留中継基板１４を介して、紙幣投入装置２２と紙幣保留ユニット１２と紙幣搬送ユニット１６とを連係して搬送制御する構成とすることにより紙幣投入装置２２と紙幣保留ユニット１２と紙幣搬送ユニット１６とより金庫に至る紙幣搬送経路１８上で停留する全ての紙幣を島管理装置４の金庫部９０に回収することもできる。
【０３６４】
なおまた、紙幣搬送装置における紙幣投入装置２２と紙幣保留ユニット１２及び紙幣搬送ユニット１６などの各装置間の紙幣搬送経路１８上において紙幣が抜取り可能に残留することを防ぐ為、例えば紙幣保留ユニット１２の入口センサ３１や紙幣取込センサ３９で紙幣を検出している状態で紙幣搬送装置の稼動が電源断などにより停止制御が実行される場合に、ＤＣモータ３２により駆動される紙幣収容第１回転体３３と紙幣押圧回転体３６とを、蓄電された電荷によってそのまま回転制御を継続して、入口センサ３１付近で留まる紙幣を、紙幣保留ユニット１２の紙幣格納領域３４に移送した後、紙幣格納領域３４において紙幣収容第１回転体３３と紙幣押圧回転体３６とにより把持して抜き取り不能に格納する待機紙幣保全手段を設ける構成としてもよい。
【０３６５】
一方、紙幣搬送装置の閉店終了時を含む停止時において紙幣搬送経路１８上で停留し残留する紙幣を保全する為には、紙幣搬送装置の停止に応答制御して紙幣搬送経路１８上で停留する紙幣の全てを島管理装置４の金庫部９０へ回収して格納する構成とは異なって、紙幣が残留する紙幣搬送装置における紙幣搬送経路１８の全体を開放不能に封止する構成も考えられる。
【０３６６】
例えば、既述した鍵部材１０８を、紙幣搬送装置の電源を遮断することに呼応して励磁されるソレノイドにより連係するように構成すれば、鍵部材１０８の鍵着作用によって、紙幣保留ユニット１２の基体より紙幣保留ユニットカバー４３の開放がロックされ、また紙幣保留ユニット１２が紙幣搬送経路１８より離脱することが阻止されるとともに、また紙幣搬送路上で紙幣搬送経路側カバー摺動体４８が摺動し紙幣搬送路が開放されることも抑制される。
【０３６７】
紙幣搬送路の紙幣搬送経路側カバー４７の開放が、鍵着により一体となった紙幣保留ユニット１２と紙幣搬送経路側カバー摺動体４８とがロックされて禁止される。遊技場島２に列設された全ての鍵部材１０８が連係されて、紙幣搬送装置の停止時おいて紙幣搬送通路上より不正な紙幣の抜き取り行為がされることを防止することができる。
【０３６８】
なお、遊技場島２に列設された鍵部材１０８の内、紙幣詰まりを呈している紙幣搬送経路１８上においては、該当する箇所における必要とする鍵部材１０８に対して正規の鍵が使用されれば、この鍵操作により当該箇所における紙幣保留ユニットカバー４３の開動、若しくは紙幣搬送経路側カバー摺動体４８に対する摺動操作が行え、紙幣詰りを呈した当該紙幣の除去作業が行える。
【０３６９】
＜閉店時紙幣格納連繋手段＞
また、島管理装置４は、遊技場の閉店終了時、ホールコンピュータ（若しくは島管理装置４）における閉店（操作）信号の発生に基いて、紙幣投入装置２２を紙幣投入禁止状態とに変換するとともに、当該紙幣投入装置２２に残留している紙幣と紙幣保留ユニット１２において保留している紙幣などの紙幣搬送経路１８上の紙幣を紙幣搬送ユニット１６により島管理装置４の金庫に搬送して格納する閉店時紙幣格納連繋手段を有する。
【０３７０】
従って、閉店時における正確な集計管理が実現できるとともに閉店後において紙幣搬送ユニット１６内にある紙幣が不正に抜き取られる不正行為を防止する。また、閉店を気づかず紙幣が紙幣投入装置２２に投入される障害を防止し、遊技場管理者による回収処理を不要とすることができる。
【０３７１】
また、島管理装置４は、島管理装置表示操作パネル８１と蛍光表示パネル８２において、紙幣枚数（貸出遊技媒体）表示画面と、紙幣搬送表示画面と、エラー表示画面とエラー内容説明表示画面とに切換設定するとともに、通常運用モード表示と装置保守のためのサービスマンモード表示画面とに切換設定する切換え設定スイッチを設ける一方、画面を表示する島管理装置表示操作パネル８１に付設された解除スイッチへの操作によって島管理装置４の異常データをリセットする島管理装置表示操作パネル８１を有している。
【０３７２】
従って、既述したように単一の蛍光表示パネル８２の表示画面上で技媒体貸出し金額情報に係る紙幣枚数と、紙幣投入装置２２における紙幣搬送動作情報と、紙幣投入装置２２で生じたエラーの表示と、エラーの種別に応じた対応処置方法の表示とが切り換え表示可能にされるので、島管理装置４における狭い表示パネル領域において紙幣枚数に係る集計情報と紙幣搬送格納動作情報とをともに把握でき、併せて紙幣搬送に係る異常情報と異常対処処理情報とを取得することも可能となる。
【０３７３】
また、紙幣搬送ユニット１６のメンテナンス時には紙幣搬送ユニット１６の保守者のみが確認できる情報をマスク表示することも可能であるとともに、異常処理対応して異常データを消去することもできる。
【０３７４】
また、島管理装置制御部８０は、送信した問合わせコマンドに対応する応答データ（コマンド）に基づいて、検出したセンサのデータとアドレスのデータにより識別して、不具合の検出された特定の紙幣投入装置２２側装置からの紙幣の回収を停止し、紙幣満杯が判定された紙幣保留ユニット１２と紙幣投入装置２２とを含む特定の紙幣投入装置２２側装置からの紙幣を優先的に回収するというような制御を構成することができる。
【０３７５】
なお、本実施形態において、紙幣投入装置２２が有価媒体投入装置に相当し、紙幣保留ユニット１２が有価媒体保留手段及び副有価媒体格納庫に相当し、金庫部９０が有価媒体収納庫に相当し、紙幣搬送ユニット１６が有価媒体搬送手段に相当し、島管理装置制御部８０が有価媒体搬送制御手段に相当し、蛍光表示パネル８２が表示手段に相当し、図２４のＳ６３０の処理が有価媒体管理制御手段の実行する表示制御の処理に相当する。
（第２実施形態）
なお、第１実施形態の一部を変更した第２実施形態として、紙幣保留ユニット１２で保留可能とする紙幣枚数を２０枚とし、遊技場島２の片側（紙幣搬送ユニット１６で紙幣を搭載する搬送紙幣収容台５４の片側、図２で参照される。）全体において紙幣搬送ユニット１６により搬送可能とする紙幣枚数を３０枚として設定した紙幣搬送の制御フローチャートを図２５〜図３０において図示する。
【０３７６】
この実施形態における紙幣搬送ユニット１６で搬送する紙幣枚数の上限値２０枚若しくは３０枚については、既述の当該紙幣保留ユニット１２に設けられた入口センサ３１や紙幣取込センサ３９などの検出信号を計数して２０枚の判定がされ、また島管理装置４の制御部が、遊技場島２の片側に列設された各紙幣保留ユニット１２の入口センサ３１で検出されて保留中継基板１４の制御部で記憶された紙幣枚数の合計値に関する問合わせ信号を送受信して３０枚であると判定するものである。
【０３７７】
紙幣保留ユニット１２における保留枚数若しくは遊技場島２の片側に列設された紙幣保留ユニット１２で保留する紙幣枚数の合計値が上限値に至った場合には、紙幣投入装置２２から紙幣保留ユニット１２への紙幣の保留制御は、島管理装置４の制御部からの指令を受信することにより一旦待機される。
【０３７８】
なお、紙幣搬送ユニット１６の紙幣保留ユニット１２に対する保留紙幣の取込制御は、紙幣保留ユニット１２のアドレスで指定された特定の紙幣保留ユニット１２に対して紙幣搬送ユニット１６を移動制御して紙幣搬送を行うことの他、遊技場島２の他端よりシーケンスに、順次、金庫部９０の設けられた遊技場島２の島管理装置４に向かって各紙幣保留ユニット１２で保留された紙幣を取込む制御方法を取ってよいことは既述のとうりである。
【０３７９】
なお、図２５〜図３０のフローチャートにおいて示した第２実施形態にあっては金庫部９０の正収納庫９１の正収納庫紙幣満杯判定手段が正収納庫９１における満杯を検出する紙幣枚数は６００枚とされている。
【０３８０】
そして、副収納庫９２において判定される紙幣満杯判定は３００枚と設定されていて、副収納庫９２における満杯判定は副収納庫満センサ１０６ａによる検出動作によって実行され、正収納庫９１における満杯判定は、例えば分離されて送り込まれた紙幣を送り完了センサ９９ａが検出し検出パルスを島管理装置４の制御部に設けられた演算手段が計数することにより紙幣枚数が判定される。
【０３８１】
以上、本発明の実施形態について説明したが、本発明は上記実施形態に限定されるものではなく、本発明の技術思想から逸脱しない範囲において種々の態様を採ることができる。
【０３８２】
例えば、本実施形態では、有価媒体として紙幣を使用しているが、紙幣の代わりにカードやコイン等を使用してもよい。
また、本実施形態では、紙幣投入装置２２は遊技媒体貸出装置１０の一部に取り付けられているが、紙幣投入装置２２を遊技機８の一部に取り付けるようにしてもよい。それにより、遊技者は遊技機８から離れることなく遊技を続けることができる。
【０３８３】
なお、正収納庫に９１至る紙幣搬送経路１８において、プレス板９３で紙幣を把持した後ピックアップローラ９４で分離し、紙幣一枚毎に計数手段により計数した後、正収納庫で格納する構成とせず、プレス板９３で把持した紙幣をそのまま副収納庫に押動作用して格納する構成としてもよい。この場合、正副収納庫９１，９２の別はなくなる。このようにすれば、収納庫の構造を簡略化して部品点数を軽減することが可能となるとともに、紙幣収納庫に大きな領域を形成して多数枚の紙幣を格納することができる効果を生じる。
【０３８４】
＜定義等＞
有価媒体とは、紙幣、硬貨、その他紙幣と同様に遊技場において遊技媒体を貸出し購入可能とするＩＣコイン、ＩＣカード、ＩＣタグ、磁気カードプリペイドカードを含む。
【０３８５】
有価媒体投入装置とは、本実施形態に記載の紙幣投入装置２２がこれに相当しメダル貸出機やパチンコ球貸出機に紙幣投入装置２２が組み込まれるもの及び独立して設けられるものの何れも含み、またスロットマシンに設けられるメダル貸出機やパチンコ機に設けられるパチンコ球貸出機がこれを有する場合を含む。
【０３８６】
有価媒体格納庫とは、本実施形態においては、島管理装置４に設けられた紙幣格納用の金庫部９０が該当する。
有価媒体搬送経路とは、本実施形態における紙幣が有価媒体投入装置より有価媒体格納庫に至る経路を云い、搬送ベルトで紙幣を挟持して紙幣を搬送する実施態様にあっては、搬送ベルトが有価媒体搬送経路となる。
【０３８７】
有価媒体搬送制御手段とは、本実施形態における紙幣搬送ユニット１６、紙幣保留ユニット１２、紙幣投入装置２２、保留中継基板１４、島管理装置４若しくは島管理装置４の制御部など紙幣の搬送制御を司り、また制御データを授受させる伝送路など一連の紙幣媒体搬送制御手段を云う。
【０３８８】
搬送制御データ取得手段とは、例えば紙幣保留ユニット１２や、当該紙幣保留ユニット１２に設けられる紙幣取込センサ３９、入口センサ３１、紙幣保留センサ６２、ＤＣモータ３２、保留中継基板１４や該保留中継基板１４に設けられるディップスイッチやＬＥＤ及びその中継回路基板などを指す。
【０３８９】
有価媒体搬送制御維持手段とは、島管理装置４の制御部に設けられ実施形態に記載した、残留する紙幣の搬送制御を完了する制御回路や制御プログラムなどをいう。
有価媒体搬送制御データとは、図１７を掲げて実施形態で説明した問合わせコマンドと応答コマンドとを形成するビットワードデータが一実施形態として掲げられる。
【０３９０】
有価媒体搬送バックアップデータとは、前記有価媒体搬送制御データが格納される記憶エリアとは異なる記憶エリアに格納され、有価媒体搬送制御データや有価媒体搬送制御データにアップデートされデリート若しくはアッドされて紙幣搬送装置の再起動時に使用されるデータをいう。
【０３９１】
有価媒体搬送バックアップデータ保持手段は、上記記憶エリアを有するものであって、島管理装置４の制御部より脱着可能にされる認証機能、暗号化機能を有する補助記憶手段とするのが好ましい。
【０３９２】
有価媒体搬送バックアップデータ更新手段とは、有価媒体搬送バックアップデータ保持手段に格納されたバックアップデータが変更された場合に、変更後のバックアップデータを前記記憶エリアに転送するものである。
【０３９３】
有価媒体有無検出センサとは、有価媒体の有無を検出するためのセンサであり、紙幣保留ユニット１２に設けられた入口センサ３１、紙幣取込センサ３９、紙幣保留センサ６２が本実施形態では例示されている。
【０３９４】
有価媒体搬送位置検出センサは、搬送されている有価媒体の位置を検出するためのセンサであり、紙幣搬送ユニット１６の接近、当接などを検出する紙幣搬送ユニット通過センサ６１が本実施形態として掲げられている。
【０３９５】
有価媒体搬送通信制御手段は、本実施形態にあっては、島管理装置４の制御部と保留中継基板１４とにより、紙幣保留ユニット１２や紙幣投入装置２２と島管理装置相互間におけるデータ伝送を行う伝送路を含んで構成されている。
【図面の簡単な説明】
【０３９６】
【図１】本実施形態の有価媒体管理設備が適用された遊技場島２の平面図である。
【図２】紙幣投入装置２２、紙幣保留ユニット１２、紙幣搬送ユニット１６の側面図である。
【図３】紙幣投入処理のフローチャートである。
【図４】保留中継基板１４の外観図である。
【図５】紙幣保留ユニット１２の構成図である。
【図６】紙幣保留処理のフローチャートである。
【図７】紙幣保留ユニット１２の異常処理のフローチャートである。
【図８】紙幣搬送経路１８の構造を示す図である。
【図９】紙幣搬送経路１８における紙幣保留ユニットカバー４３、紙幣搬送経路側カバー４７、紙幣搬送経路側カバー摺動体４８の構造を示す図である。
【図１０】紙幣保留ユニットカバー４３に設けられたセンサ等の配置を示す図である。
【図１１】紙幣搬送ユニット１６が紙幣保留ユニット１２に一時保留されていた紙幣を回収する手順を示す図である。
【図１２】島管理装置４の主要部分を表す正面図である。
【図１３】送り完了センサ９９ａの紙幣検出パターンを示す図である。
【図１４】送り完了センサ９９ａの紙幣検出パターンを示す図である。
【図１５】島管理装置制御部８０の概要図である。
【図１６】蛍光表示パネル８２で表示される遊技場島２における紙幣搬送ユニット１６の動作内容を示した図である。
【図１７】有価媒体管理設備の全体ブロック図である。
【図１８】有価媒体管理設備の各構成品の構成と通信方法を示した図である。
【図１９】島管理装置制御部８０と島端末５との間で送受信されるデータうち問い合わせデータ（コマンド）の構造を示す図である。
【図２０】島管理装置制御部８０と島端末５との間で送受信されるデータうち応答データ（コマンド）１の構造を示す図である。
【図２１】島管理装置制御部８０と島端末５との間で送受信されるデータうち応答データ（コマンド）２の構造を示す図である。
【図２２】紙幣搬送ユニット制御処理のフローチャートである。
【図２３】搬送紙幣金庫内格納処理のフローチャートである。
【図２４】紙幣異常入金処理のフローチャートである。
【図２５】紙幣搬送格納処理のフローチャートである。
【図２６】紙幣搬送格納処理のフローチャートである。
【図２７】紙幣搬送格納処理のフローチャートである。
【図２８】保留ユニットエラー処理のフローチャートである。
【図２９】紙幣搬送ユニット制御処理のフローチャートである。
【図３０】紙幣異常入金処理及びコマンドデータ送受信ルーチンのフローチャートである。
【符号の説明】
【０３９７】
２…遊技場島、４…島管理装置、５…島端末、６…遊技場管理装置、８…遊技機、１０…遊技媒体貸出装置、１２…紙幣保留ユニット、１４…保留中継基板、１６…紙幣搬送ユニット、１８…紙幣搬送経路、２２…紙幣投入装置、２４…紙幣投入ユニット、２６…紙幣投入ノズル、２８…紙幣投入ユニットガイド部、３０…搬送押圧回転体、３１…入口センサ、３２…ＤＣモータ、３３…紙幣収容第１回転体、３４…紙幣格納領域、３５…紙幣導入路、３５ａ…紙幣保留ユニット格納口、３６…紙幣押圧回転体、３６ａ…紙幣収容溝、３６ｂ…紙幣挟持片、３９…紙幣取込センサ、４２…紙幣保留ユニット基体、４３…紙幣保留ユニットカバー、４４…誘導路、４７…紙幣搬送経路側カバー、４８…紙幣搬送経路側カバー摺動体、５１…紙幣搬送ユニットガイドレール、５２…紙幣搬送ユニット第１ローラ、５３…搬送ユニット第２ローラ、５４…搬送紙幣収容台、５５…紙幣搬送駆動モータ（送りモータ）、６０…反転センサ、６１…紙幣搬送ユニット通過センサ、６２…紙幣保留センサ、６３…離脱検出センサ、６４…扉開放検出センサ、７１…基板本体、７３…ロータリースイッチ、７４…ディップスイッチ、７５…中継基板収納ボックス、７６…ビス孔、８０…島管理装置制御部、８１…島管理装置表示操作パネル、８１ａ…扉開放センサ、８２…蛍光表示パネル、８２ａ…数字キー、８４…表示ボタン、８５…機能ボタン、８５ａ…移動表示ボタン、８５ｂ…加減ボタン、８６…解除ボタン、８７…決定ボタン、９０…金庫部、９１…正収納庫、９２…副収納庫、９３…プレス板、９３ａ…プレス位置検出センサ、９４…ピックアップローラ、９４ａ…ピックアップ位置検出センサ、９５…分離ローラ、９６…ワンウェイローラ、９７…搬送ローラ、９８…搬送ローラ、９９ａ…送り完了センサ、１００…紙幣無センサ、１０１…送りローラ、１０２…スタックモータ、１０３…下部スタック板、１０３ａ…スタック満杯検出センサ、１０３ｂ…スタック位置センサ、１０４…上部スタック板、１０６…補助スタック板、１０６ａ…副収納庫満センサ、１０７…コイルスプリング、１０８…鍵部材。
【図１】
2007140772.tif 000003
【図２】
2007140772.tif 000004
【図３】
2007140772.tif 000005
【図５】
2007140772.tif 000006
【図６】
2007140772.tif 000007
【図７】
2007140772.tif 000008
【図８】
2007140772.tif 000009
【図９】
2007140772.tif 000010
【図１０】
2007140772.tif 000011
【図１１】
2007140772.tif 000012
【図１２】
2007140772.tif 000013
【図１３】
2007140772.tif 000014
【図１４】
2007140772.tif 000015
【図１５】
2007140772.tif 000016
【図１６】
2007140772.tif 000017
【図１７】
2007140772.tif 000018
【図１８】
2007140772.tif 000019
【図１９】
2007140772.tif 000020
【図２０】
2007140772.tif 000021
【図２１】
2007140772.tif 000022
【図２２】
2007140772.tif 000023
【図２３】
2007140772.tif 000024
【図２４】
2007140772.tif 000025
【図２５】
2007140772.tif 000026
【図２６】
2007140772.tif 000027
【図２７】
2007140772.tif 000028
【図２８】
2007140772.tif 000029
【図２９】
2007140772.tif 000030
【図３０】
2007140772.tif 000031
【図４】
2007140772.tif 000032